(57)【要約】【課題】安定なトラッキング制御及び信頼性の高いアドレス検出を実現できる光情報記録媒体、光情報記録媒体の記録及び／又は再生方法、記録及び／又は再生装置を提供することを目的とする。【解決手段】所定の半値幅の溝部及び前記溝部に挟まれた前記溝部とは異なる半値幅の溝間部を有する基板と、前記基板上に形成される記録層とを有する光情報記録媒体の、前記記録層に複数のレーザ光を同時に照射することにより、複数のマーク列からなる情報を同時に記録及び／又は再生する情報記録及び／又は再生方法であって、前記基板の、前記溝部と前記溝間部のうちの半値幅の狭い方の部に予め埋め込まれているアドレス情報を読み取り、前記溝部と前記溝間部のうちの半値幅の広い方の部に複数の記録マーク列を同時に記録する、及び／又は、前記溝部と前記溝間部のうちの半値幅の広い方の部に記録されている複数の記録マーク列を同時に再生することを特徴とする。【選択図】図２
2009104728.tif 000002
【特許請求の範囲】
【請求項１】
所定の半値幅の溝部及び前記溝部に挟まれた前記溝部とは異なる半値幅の溝間部を有する基板と、前記基板上に形成される記録層とを有する光情報記録媒体の、前記記録層に複数のレーザ光を同時に照射することにより、複数のマーク列からなる情報を同時に記録及び／又は再生する情報記録及び／又は再生方法であって、
前記基板の、前記溝部と前記溝間部のうちの半値幅の狭い方の部に予め埋め込まれているアドレス情報を読み取り、前記溝部と前記溝間部のうちの半値幅の広い方の部に複数のマーク列を同時に記録する、及び／又は、前記溝部と前記溝間部のうちの半値幅の広い方の部に記録されている複数のマーク列を同時に再生することを特徴とする情報記録及び／又は再生方法。
【請求項２】
前記溝部と前記溝間部のうちの半値幅の広い方の部に複数のマーク列を記録すると同時に、前記半値幅の狭い方の部にマーク列を記録する、及び／又は、前記溝部と前記溝間部のうちの半値幅の広い方の部に記録されている複数のマーク列を再生すると同時に、前記半値幅の狭い方の部に記録されているマーク列を再生することを特徴とする請求項１記載の情報記録及び／又は再生方法。
【請求項３】
前記複数のレーザ光のうちの一のレーザ光を用いて、前記半値幅の狭い方の部に対してトラッキング制御を行い、前記複数のレーザ光から前記一のレーザ光を除いた他のレーザ光は、前記一のレーザ光に連動してトラッキング方向に動作させることを特徴とする請求項１又は２記載の情報記録及び／又は再生方法。
【請求項４】
前記複数のレーザ光から前記一のレーザ光を除いた他のレーザ光のうちの少なくとも１つのレーザ光を用いて、前記半値幅の広い方の部に対してフォーカス制御を行い、前記フォーカス制御に用いないレーザ光は、前記フォーカス制御に用いるレーザ光に連動してフォーカス方向に動作させることを特徴とする請求項３記載の情報記録及び／又は再生方法。
【請求項５】
前記複数のレーザ光のうちの一のレーザ光を用いて、前記半値幅の狭い方の部に対してトラッキング制御を行い、前記複数のレーザ光から前記一のレーザ光を除いた他のレーザ光は、前記一のレーザ光に連動してトラッキング方向に動作させ、前記一のレーザ光を用いて、前記半値幅の狭い方の部に対してフォーカス制御を行い、前記複数のレーザ光から前記一のレーザ光を除いた他のレーザ光のうちの少なくとも１つのレーザ光を用いて、前記半値幅の広い方の部に対してフォーカス制御を行い、前記フォーカス制御に用いないレーザ光は、前記フォーカス制御に用いるレーザ光に連動してフォーカス方向に動作させることを特徴とする請求項１又は２記載の情報記録及び／又は再生方法。
【請求項６】
前記基板は、前記記録層に前記複数のレーザ光が照射されることにより形成される複数の光スポット列の半径方向の間隔調整に用いられるレーザ位置調整マークを有し、前記レーザ位置調整マークを用いて、前記複数の光スポット列の半径方向の間隔調整を行うことを特徴とする請求項１乃至５の何れか一項記載の情報記録及び／又は再生方法。
【請求項７】
前記基板は、前記記録層に前記複数のレーザ光が照射されることにより形成される複数の光スポット列の半径方向の間隔調整に用いられるレーザ位置調整マークを有し、前記レーザ位置調整マークを用いて、前記複数の光スポット列のレーザ走査方向の間隔の計測を行うことを特徴とする請求項１乃至５の何れか一項記載の情報記録及び／又は再生方法。
【請求項８】
前記基板は、前記記録層に前記複数のレーザ光が照射されることにより形成される複数の光スポット列の半径方向の間隔調整、及び、複数の光スポット列のレーザ走査方向の間隔の計測に用いられるレーザ位置調整マークを有し、前記レーザ位置調整マークを用いて、複数の光スポット列の半径方向の間隔調整、及び、前記レーザ位置調整マークを用いて、複数の光スポット列のレーザ走査方向の間隔の計測を行うことを特徴とする請求項１乃至５の何れか一項記載の情報記録及び／又は再生方法。
【請求項９】
前記一のレーザ光によって読み取られた前記アドレス情報及び前記複数の光スポット列のレーザ走査方向の間隔の計測結果に基づいて、前記複数のレーザ光から前記一のレーザ光を除いた他のレーザ光のアドレスを決定することを特徴とする請求項７又は８記載の情報記録及び／又は再生方法。
【請求項１０】
所定の半値幅の溝部及び前記溝部に挟まれた前記溝部とは異なる半値幅の溝間部を有する基板と、前記基板上に形成される記録層とを有する光情報記録媒体の、前記記録層に複数のレーザ光を同時に照射することにより、複数のマーク列からなる情報を同時に記録及び／又は再生する情報記録及び／又は再生装置であって、
前記基板の、前記溝部と前記溝間部のうちの半値幅の狭い方の部に予め埋め込まれているアドレス情報を読み取るアドレス読取手段と、
前記半値幅の広い方の部に複数のマーク列を同時に記録する記録手段、及び／又は、前記半値幅の広い方の部に記録されている複数のマーク列を同時に再生する再生手段を有することを特徴とする情報記録及び／又は再生装置。
【請求項１１】
前記記録手段は、前記半値幅の広い方の部に複数のマーク列を記録すると同時に、前記半値幅の狭い方の部にマーク列を記録する、及び／又は、前記再生手段は、前記半値幅の広い方の部に記録されている複数のマーク列を再生すると同時に、前記半値幅の狭い方の部に記録されているマーク列を再生することを特徴とする請求項１０記載の情報記録及び／又は再生装置。
【請求項１２】
前記複数のレーザ光のうちの一のレーザ光を用いて、前記半値幅の狭い方の部に対してトラッキング制御を行い、前記複数のレーザ光から前記一のレーザ光を除いた他のレーザ光は、前記一のレーザ光に連動してトラッキング方向に動作させるトラッキング制御手段を有することを特徴とする請求項１０又は１１記載の情報記録及び／又は再生装置。
【請求項１３】
前記複数のレーザ光から前記一のレーザ光を除いた他のレーザ光のうちの少なくとも１つのレーザ光を用いて、前記半値幅の広い方の部に対してフォーカス制御を行い、前記フォーカス制御に用いないレーザ光は、前記フォーカス制御に用いるレーザ光に連動してフォーカス方向に動作させるフォーカス制御手段を有することを特徴とする請求項１２記載の情報記録及び／又は再生装置。
【請求項１４】
前記複数のレーザ光のうちの一のレーザ光を用いて、前記半値幅の狭い方の部に対してトラッキング制御を行い、前記複数のレーザ光から前記一のレーザ光を除いた他のレーザ光は、前記一のレーザ光に連動してトラッキング方向に動作させるトラッキング制御手段と、前記一のレーザ光を用いて、前記半値幅の狭い方の部に対してフォーカス制御を行い、前記複数のレーザ光から前記一のレーザ光を除いた他のレーザ光のうちの少なくとも１つのレーザ光を用いて、前記半値幅の広い方の部に対してフォーカス制御を行い、前記フォーカス制御に用いないレーザ光は、前記フォーカス制御に用いるレーザ光に連動してフォーカス方向に動作させるフォーカス制御手段を有することを特徴とする請求項１０又は１１記載の情報記録及び／又は再生装置。
【請求項１５】
前記基板は、前記記録層に前記複数のレーザ光が照射されることにより形成される複数の光スポット列の半径方向の間隔調整に用いられるレーザ位置調整マークを有し、前記レーザ位置調整マークを用いて、前記複数の光スポット列の半径方向の間隔の調整を行う間隔調整手段を有することを特徴とする請求項１０乃至１４の何れか一項記載の情報記録及び／又は再生装置。
【請求項１６】
前記基板は、前記記録層に前記複数のレーザ光が照射されることにより形成される複数の光スポット列の半径方向の間隔調整に用いられるレーザ位置調整マークを有し、前記レーザ位置調整マークを用いて、前記複数の光スポット列のレーザ走査方向の間隔の計測を行う間隔計測手段を有することを特徴とする請求項１０乃至１４の何れか一項記載の情報記録及び／又は再生装置。
【請求項１７】
前記基板は、前記記録層に前記複数のレーザ光が照射されることにより形成される複数の光スポット列の半径方向の間隔調整、及び、複数の光スポット列のレーザ走査方向の間隔の計測に用いられるレーザ位置調整マークを有し、前記レーザ位置調整マークを用いて、複数の光スポット列の半径方向の間隔の調整を行う間隔調整手段、及び、前記レーザ位置調整マークを用いて、複数の光スポット列のレーザ走査方向の間隔の計測を行う間隔計測手段と、を有することを特徴とする請求項１０乃至１４の何れか一項記載の情報記録及び／又は再生装置。
【請求項１８】
前記一のレーザ光によって読み取られた前記アドレス情報及び前記複数の光スポット列のレーザ走査方向の間隔の計測結果に基づいて、前記複数のレーザ光から前記一のレーザ光を除いた他のレーザ光のアドレスを決定するアドレス決定手段を有することを特徴とする請求項１６又は１７記載の情報記録及び／又は再生装置。
【請求項１９】
記録するシリアルデータを所定の規則に従って分割し、同時に記録される複数のマーク列に対応するパラレルデータに変換するデータ分割手段、及び／又は、複数のマーク列から同時に再生されるパラレルデータを、所定の規則に従って結合しシリアルデータに変換するデータ結合手段を有することを特徴とする請求項１０乃至１８の何れか一項記載の情報記録及び／又は再生装置。
【請求項２０】
所定の半値幅の溝部及び前記溝部に挟まれた前記溝部とは異なる半値幅の溝間部を有する基板と、前記基板上に形成される記録層とを有し、前記記録層に複数のレーザ光が同時に照射されることにより、複数のマーク列からなる情報が同時に記録及び／又は再生される光情報記録媒体であって、
前記基板の、前記溝部と前記溝間部のうちの半値幅の狭い方の部に予めアドレス情報が埋め込まれており、前記半値幅の広い方の部に複数のマーク列が同時に記録される、及び／又は、前記半値幅の広い方の部に記録されている複数のマーク列が同時に再生されることを特徴とする光情報記録媒体。
【請求項２１】
前記溝部と前記溝間部のうちの半値幅の広い方の部に複数のマーク列を記録すると同時に、前記半値幅の狭い方の部にマーク列を記録する、及び／又は、前記溝部と前記溝間部のうちの半値幅の広い方の部に記録されている複数のマーク列を再生すると同時に、前記半値幅の狭い方の部に記録されているマーク列を再生することを特徴とする請求項２０記載の光情報記録媒体。
【請求項２２】
前記基板は、前記記録層に前記複数のレーザ光が照射されることにより形成される複数の光スポット列の半径方向の間隔調整、及び／又は、複数の光スポット列のレーザ走査方向の間隔の計測に用いられるレーザ位置調整マークを有することを特徴とする請求項２０又は２１記載の光情報記録媒体。
【発明の詳細な説明】
【技術分野】
【０００１】
本発明は、複数のレーザ光を用いて、並列に情報の記録及び／又は再生を行うことにより、情報の記録及び／又は再生速度を高めることができる光情報記録媒体、光情報記録媒体の情報記録及び／又は再生方法、情報記録及び／又は再生装置に関する。
【背景技術】
【０００２】
従来より、光情報記録媒体に記録及び／又は再生を行う情報記録及び／又は再生装置において、情報の記録及び／又は再生速度（データ転送速度）を増加させるために、複数の光スポットを当該光情報記録媒体の面上に形成する方法が知られている。複数の光スポットは、発振波長の等しい光源を用いて、同じ形状に形成されており、複数の光スポット（レーザ光）を同時に用いて並列に情報を記録及び／又は再生することにより、この光スポットの数に比例して、情報の記録及び／又は再生速度を増加させることが可能となる。
【０００３】
複数の光スポットを光情報記録媒体上に形成する技術的な方法としては、例えば、次に示す（イ）〜（ハ）が挙げられる。
（イ）光ヘッドの数を増加させる。
（ロ）レーザ光を光学的に合成することで、１つの光学系に複数のレーザ光で共有させて当該複数のレーザ光を伝搬させる。
（ハ）前記（イ）と（ロ）とを組み合わせる。
【０００４】
情報記録及び／又は再生装置の製造コストを上昇させないため、なるべく情報記録及び／又は再生装置に備えられている光ヘッド（光学系）の数を増やさずに、光スポットの数を増加させることが望ましい。又、情報記録及び／又は再生装置では、光情報記録媒体の最内周（半径２４ｍｍ程度）から最外周（半径５８ｍｍ程度）まで対物レンズがシークするが、この対物レンズのシークに伴って光ヘッドが移動する範囲が非常に広くなるため、情報記録及び／又は再生装置全体を小型化する必要があり、この点からも、光ヘッドの数を増加させずに、光スポットの数を増加させることが望ましい。
【０００５】
このような観点から、上記（ロ）の「レーザ光を光学的に合成することで、１つの光学系に複数のレーザ光で共有させて当該複数のレーザ光を伝搬させる」方法を用いて、複数の光スポットを形成することが好ましく、従来から、複数の光源からのレーザ光を１つの対物レンズで結像して、複数の光スポットを形成できる光ヘッドが提案されている（例えば、特許文献１、２、３参照）。
【０００６】
しかし、このような従来から提案されている複数の光スポットを用いた情報記録及び／又は再生装置には、光情報記録媒体上に刻まれているグルーブ（溝部）はスパイラル状（渦巻き状）であり、当該光情報記録媒体が１周すると、隣接している光スポットが既に記録及び／又は再生したトラックに移ってしまうため、当該光スポットを未記録または未再生のトラックにジャンプさせるトラックジャンプが必要になり、情報の記録及び／又は再生速度の増加を妨げるという問題があった。例えば、２レーザ光の場合は（２個の光スポットが形成される場合は）、１トラックジャンプが必要になり、ｎレーザ光の場合は（ｎ個の光スポットが形成される場合は）、（ｎ−１）トラックジャンプが必要になる。
【０００７】
図２３を参照しながら、複数の光スポットを用いて記録及び／又は再生を行う光情報記録媒体におけるトラックジャンプについて、更に詳しく説明する。図２３は、従来の複数の光スポットを用いた情報記録及び／又は再生装置により、情報を記録及び／又は再生する様子を模式的に示した図である。図２３において、１０は光情報記録媒体、１１は光情報記録媒体１０にスパイラル状に形成された案内溝、１３は３つの光源から出射されたレーザ光が一体化したレーザ光、１３ａはレーザ光ＢＬ、１３ｂはレーザ光Ｂｃ、１３ｃはレーザ光ＢＲ、Ｐ１〜Ｐ６は、レーザ光１３（レーザ光ＢＬ１３ａ、レーザ光Ｂｃ１３ｂ及びレーザ光ＢＲ１３ｃ）の照射位置を示している。
【０００８】
図２３において、レーザ光ＢＬ１３ａ、レーザ光Ｂｃ１３ｂ及びレーザ光ＢＲ１３ｃは、３つの光源から出射されたレーザ光１３が１つの対物レンズで所定の案内溝に結像されたもので、最初に照射位置Ｐ１に照射されており、光情報記録媒体１０の回転によって、レーザ光１３（レーザ光ＢＬ１３ａ、レーザ光Ｂｃ１３ｂ及びレーザ光ＢＲ１３ｃ）の照射位置は、相対的に照射位置Ｐ２→照射位置Ｐ３→照射位置Ｐ４と移動する。そしてレーザ光１３（レーザ光ＢＬ１３ａ、レーザ光Ｂｃ１３ｂ及びレーザ光ＢＲ１３ｃ）が照射位置Ｐ５を通過すると、レーザ光ＢＬ１３ａは、既にレーザ光Ｂｃ１３ｂが照射した部分に到達するので、記録及び／又は再生するトラックの重複を避けるため、照射位置Ｐ６へと、２トラック分トラックジャンプする必要がある。
【０００９】
又、従来の複数の光スポットを用いた情報記録及び／又は再生装置の場合、光情報記録媒体の記録及び／又は再生の高速化や高密度化を行うためには、高精度のトラッキング制御が必要とされる。複数の光スポットを用いた情報記録及び／又は再生装置では、光スポットの数が増加するにつれてトラッキングの位置決めが困難になるという問題がある。トラッキング制御の問題について、図２４を参照しながら更に詳しく説明する。図２４は、個別に形成された３つのスパイラル状の案内溝に３つのレーザ光を個別にトラッキング制御する様子を説明するための図である。
【００１０】
図２４において、３０は光情報記録媒体、３１ａ〜３１ｃは光情報記録媒体３０にスパイラル状に形成された案内溝、３３ａはレーザ光ＢＬ、３３ｂはレーザ光Ｂｃ、３３ｃはレーザ光ＢＲを示している。従来の光情報記録媒体３０では、例えば、図２４に示すように、３つのレーザ光（レーザ光ＢＬ３３ａ、レーザ光Ｂｃ３３ｂ及びレーザ光ＢＲ３３ｃ）によって同時に記録及び／又は再生が行われる場合、３つの案内溝３１ａ〜３１ｃを個別にスパイラル状に形成していたため、それぞれの案内溝にそれぞれのレーザ光が追従するように、３つのレーザ光（レーザ光ＢＬ３３ａ、レーザ光Ｂｃ３３ｂ及びレーザ光ＢＲ３３ｃ）を個別にトラッキング制御する必要があった。
【００１１】
ここで、３つの案内溝３１ａ〜３１ｃが、全く同じ真円度、全く同じ偏芯量、全く同じ残留エラー量で形成されていれば、３つのレーザ光（レーザ光ＢＬ３３ａ、レーザ光Ｂｃ３３ｂ及びレーザ光ＢＲ３３ｃ）のうち、真中のレーザ光Ｂｃ３３ｂを案内溝３１ｂに追従させるようにトラッキング制御を行えば、案内溝３１ａ及び案内溝３１ｃに配置されるレーザ光ＢＬ３３ａ、レーザ光ＢＲ３３ｃに対してトラッキング制御を施さなくても、それぞれのレーザ光ＢＬ３３ａ及びレーザ光ＢＲ３３ｃは、案内溝３１ａ及び案内溝３１ｃに忠実に追従することができるが、実際には、製造上のバラツキによって、このような状況は起こりえない（それぞれのトラックで異なる真円度、偏芯量、残留エラー量を示す）。
【００１２】
従って、それぞれの案内溝３１ａ〜３１ｃにそれぞれのレーザ光（レーザ光ＢＬ３３ａ、レーザ光Ｂｃ３３ｂ及びレーザ光ＢＲ３３ｃ）が追従するように、３つのレーザ光（レーザ光ＢＬ３３ａ、レーザ光Ｂｃ３３ｂ及びレーザ光ＢＲ３３ｃ）を個別にトラッキング制御する必要がある。
【００１３】
図２５は、レーザ光Ｂｃ３３ｂに対してのみトラッキング制御を行った場合にレーザ光ＢＬ３３ａ及びレーザ光ＢＲ３３ｃが案内溝３１ａ及び３１ｃの中心から大きく変位する様子を説明するための図である。同図中、図２４と同一部品については、同一符号を付し、その説明は省略する。図２５（ａ）〜図２５（ｃ）において、基板３５上に案内溝３１ａ、３１ｂ及び３１ｃが形成され、その上に記録層３６及び反射層３７等が積層されており、各案内溝３１ａ、３１ｂ及び３１ｃの記録層を目標として、レーザ光ＢＬ３３ａ、レーザ光Ｂｃ３３ｂ、及びレーザ光ＢＲ３３ｃが照射される。
【００１４】
図２４に示すようなフォーマットを有する光情報記録媒体３０に、３つのレーザ光（レーザ光ＢＬ３３ａ、レーザ光Ｂｃ３３ｂ及びレーザ光ＢＲ３３ｃ）で同時に記録及び／又は再生を行う場合、真中のレーザ光Ｂｃ３３ｂに対してのみトラッキング制御を行い、他の２つのレーザ光ＢＬ３３ａ及びレーザ光ＢＲ３３ｃは、真中のレーザ光Ｂｃ３３ｂと同調するようにした場合、案内溝３１ａ〜３１ｃはそれぞれ異なる真円度、偏芯量、残留エラー量を示すため、図２５（ｂ）に示すように、レーザ光Ｂｃ３３ｂは案内溝３１ｂの中心近傍を通り記録層に正しく照射されるが、図２５（ａ）及び図２５（ｃ）に示すように、トラッキング制御を行わなかった案内溝３１ｂの両側の案内溝３１ａ及び３１ｃに照射されるレーザ光ＢＬ３３ａ及びレーザ光ＢＲ３３ｃでは、案内溝３１ａ及び３１ｃの中心から大きく変位する箇所が発生する恐れがある。
【００１５】
図２５（ａ）及び図２５（ｃ）では、レーザ光ＢＬ３３ａ及びレーザ光ＢＲ３３ｃが案内溝３１ａ及び３１ｃの中心から大きくずれてしまうため、
（１）記録層の実効的な膜厚が変化する（反射率が変化する）
（２）熱伝導率が変化する
（３）案内溝の変形のし易さが変化する
（４）最適なフォーカスオフセット量が変化する
等の影響が生じ、図２５（ａ）〜（ｃ）で同等な記録マークが形成されなくなり、記録及び／又は再生特性が著しく劣化する。
【００１６】
又、図２６は、３つのレーザ光が案内溝に照射される様子を模式的に示した図である。同図中、図２４と同一部品については、同一符号を付し、その説明は省略する。図２６において、３１ａ〜３１ｅはグルーブ（溝部）、３１ｆ〜３１ｉはランド（平坦部）を示している。図２６に示すように、従来の複数の光スポットを用いて記録及び／又は再生を行う光情報記録媒体では、光情報記録媒体の記録密度を高めるために、グルーブ（溝部）３１ａ〜３１ｅ及び／又はランド（平坦部）３１ｆ〜３１ｉの幅を、レーザ光（レーザ光ＢＬ３３ａ、レーザ光Ｂｃ３３ｂ及びレーザ光ＢＲ３３ｃ）の回折限界まで絞ったサイズよりも狭くしている。
【００１７】
そのため、光スポット（レーザ光ＢＬ３３ａ、レーザ光Ｂｃ３３ｂ及びレーザ光ＢＲ３３ｃ）の周縁部がグルーブ（溝部）３１ａ〜３１ｅ及び／又はランド（平坦部）３１ｆ〜３１ｉ内には収まらず、隣接するランド（平坦部）３１ｆ〜３１ｉ及び／又はグルーブ（溝部）３１ａ〜３１ｅに大きくはみ出てしまい、グルーブ（溝部）３１ａ〜３１ｅとランド（平坦部）３１ｆ〜３１ｉとの境界壁で回折光が発生する。この結果、光情報記録媒体上で、光スポットが反射した反射光（再生光）の形状が、案内溝の形状歪、バラツキ等によって歪んでしまい、フォーカス制御の精度が悪化するという問題がある。
【００１８】
これらの課題を解決するために、トラックジャンプを必要とせず、トラッキングの位置決めを容易にし、フォーカスの制御精度を悪化させることなく、１つのランドまたはグルーブに光スポットを２つ以上配置することを目的として、レーザ光照射手段により、レーザ光を照射することで形成される所定数の光スポットを用いて、データが記録される光情報記録媒体であって、データが記録される、スパイラル状の溝部であるグルーブと平坦部であるランドとによって形成される記録層を備え、光スポットを半径方向に等間隔に並べた際に、光スポットの所定数が収まる幅を、グルーブ又はランドが備えることを特徴とする光情報記録媒体及び光情報記録媒体の情報記録及び／又は再生装置が提案されている（例えば、特許文献４参照）。
【００１９】
このような従来から提案されている光スポットを半径方向に等間隔に並べた際に、光スポットの所定数が収まる幅を、グルーブ又はランドが備える光情報記録媒体について、図２７を参照しながら更に詳しく説明する。図２７は、従来の複数の光スポットを用いて記録及び／又は再生を行う光情報記録媒体に３つの光スポットが照射される様子を例示する図である。図２７において、５０は光情報記録媒体、５１は光情報記録媒体５０にスパイラル状に形成された案内溝、５２は隣接する案内溝５１の間の溝間部、Ｓ１〜Ｓ３は記録マーク列、５３ａはレーザ光ＢＬ、５３ｂはレーザ光Ｂｃ、５３ｃはレーザ光ＢＲ、５４は対物レンズを示している。図２７に示すように、従来の複数の光スポットを用いて記録及び／又は再生を行う光情報記録媒体では、左右の両端に配置されるレーザ光ＢＬ５３ａ及びレーザ光ＢＲ５３ｃを、案内溝５１のエッジに追従させる方法が採用されていた。
【特許文献１】特開平８−１９０７２８号公報
【特許文献２】特開平１１−２７３０８０号公報
【特許文献３】特開２００２−１５７７７３号公報
【特許文献４】特開２００６−２０９８１１号公報
【発明の開示】
【発明が解決しようとする課題】
【００２０】
しかしながら、従来の複数の光スポットを用いて記録及び／又は再生を行う光情報記録媒体においては、レーザ光を、案内溝のエッジに追従させるために、トラッキング制御が不安定になるという問題があった。また、全てのレーザ光が案内溝に追従しないため、アドレス情報を高い信頼性で検出できないという問題があった。
【００２１】
本発明は、上記に鑑みてなされたもので、安定なトラッキング制御及び信頼性の高いアドレス検出を実現できる光情報記録媒体、光情報記録媒体の記録及び／又は再生方法、記録及び／又は再生装置を提供することを目的とする。
【課題を解決するための手段】
【００２２】
上記目的を達成するため、第１の発明は、所定の半値幅の溝部及び前記溝部に挟まれた前記溝部とは異なる半値幅の溝間部を有する基板と、前記基板上に形成される記録層とを有する光情報記録媒体の、前記記録層に複数のレーザ光を同時に照射することにより、複数のマーク列からなる情報を同時に記録及び／又は再生する情報記録及び／又は再生方法であって、前記基板の、前記溝部と前記溝間部のうちの半値幅の狭い方の部に予め埋め込まれているアドレス情報を読み取り、前記溝部と前記溝間部のうちの半値幅の広い方の部に複数のマーク列を同時に記録する、及び／又は、前記溝部と前記溝間部のうちの半値幅の広い方の部に記録されている複数のマーク列を同時に再生することを特徴とする。
【００２３】
第２の発明は、第１の発明に係る情報記録及び／又は再生方法において、前記溝部と前記溝間部のうちの半値幅の広い方の部に複数のマーク列を記録すると同時に、前記半値幅の狭い方の部にマーク列を記録する、及び／又は、前記溝部と前記溝間部のうちの半値幅の広い方の部に記録されている複数のマーク列を再生すると同時に、前記半値幅の狭い方の部に記録されているマーク列を再生することを特徴とする。
【００２４】
第３の発明は、第１又は第２に記載の発明に係る情報記録及び／又は再生方法において、前記複数のレーザ光のうちの一のレーザ光を用いて、前記半値幅の狭い方の部に対してトラッキング制御を行い、前記複数のレーザ光から前記一のレーザ光を除いた他のレーザ光は、前記一のレーザ光に連動してトラッキング方向に動作させることを特徴とする。
【００２５】
第４の発明は、第３の発明に係る情報記録及び／又は再生方法において、前記複数のレーザ光から前記一のレーザ光を除いた他のレーザ光のうちの少なくとも１つのレーザ光を用いて、前記半値幅の広い方の部に対してフォーカス制御を行い、前記フォーカス制御に用いないレーザ光は、前記フォーカス制御に用いるレーザ光に連動してフォーカス方向に動作させることを特徴とする。
【００２６】
第５の発明は、第１又は第２に記載の発明に係る情報記録及び／又は再生方法において、前記半値幅の狭い方の部に対してトラッキング制御を行い、前記複数のレーザ光から前記一のレーザ光を除いた他のレーザ光は、前記一のレーザ光に連動してトラッキング方向に動作させ、前記一のレーザ光を用いて、前記半値幅の狭い方の部に対してフォーカス制御を行い、前記複数のレーザ光から前記一のレーザ光を除いた他のレーザ光のうちの少なくとも１つのレーザ光を用いて、前記半値幅の広い方の部に対してフォーカス制御を行い、前記フォーカス制御に用いないレーザ光は、前記フォーカス制御に用いるレーザ光に連動してフォーカス方向に動作させることを特徴とする。
【００２７】
第６の発明は、第１乃至第５の何れか一に記載の発明に係る情報記録及び／又は再生方法において、前記基板は、前記記録層に前記複数のレーザ光が照射されることにより形成される複数の光スポット列の半径方向の間隔調整に用いられるレーザ位置調整マークを有し、前記レーザ位置調整マークを用いて、前記複数の光スポット列の半径方向の間隔調整を行うことを特徴とする。
【００２８】
第７の発明は、第１乃至第５の何れか一に記載の発明に係る情報記録及び／又は再生方法において、前記基板は、前記記録層に前記複数のレーザ光が照射されることにより形成される複数の光スポット列の半径方向の間隔調整に用いられるレーザ位置調整マークを有し、前記レーザ位置調整マークを用いて、前記複数の光スポット列のレーザ走査方向の間隔の計測を行うことを特徴とする。
【００２９】
第８の発明は、第１乃至第５の何れか一に記載の発明に係る情報記録及び／又は再生方法において、前記基板は、前記記録層に前記複数のレーザ光が照射されることにより形成される複数の光スポット列の半径方向の間隔調整、及び、複数の光スポット列のレーザ走査方向の間隔の計測に用いられるレーザ位置調整マークを有し、前記レーザ位置調整マークを用いて、複数の光スポット列の半径方向の間隔調整、及び、前記レーザ位置調整マークを用いて、複数の光スポット列のレーザ走査方向の間隔計測を行うことを特徴とする。
【００３０】
第９の発明は、第７又は第８に記載の発明に係る情報記録及び／又は再生方法において、前記一のレーザ光によって読み取られた前記アドレス情報及び前記複数の光スポット列のレーザ走査方向の間隔の計測結果に基づいて、前記複数のレーザ光から前記一のレーザ光を除いた他のレーザ光のアドレスを決定することを特徴とする。
【００３１】
第１０の発明は、所定の半値幅の溝部及び前記溝部に挟まれた前記溝部とは異なる半値幅の溝間部を有する基板と、前記基板上に形成される記録層とを有する光情報記録媒体の、前記記録層に複数のレーザ光を同時に照射することにより、複数のマーク列からなる情報を同時に記録及び／又は再生する情報記録及び／又は再生装置であって、前記基板の、前記溝部と前記溝間部のうちの半値幅の狭い方の部に予め埋め込まれているアドレス情報を読み取るアドレス読取手段と、前記半値幅の広い方の部に複数のマーク列を同時に記録する記録手段、及び／又は、前記半値幅の広い方の部に記録されている複数のマーク列を同時に再生する再生手段を有することを特徴とする。
【００３２】
第１１の発明は、第１０の発明に係る情報記録及び／又は再生装置において、前記記録手段は、前記半値幅の広い方の部に複数のマーク列を記録すると同時に、前記半値幅の狭い方の部にマーク列を記録する、及び／又は、前記再生手段は、前記半値幅の広い方の部に記録されている複数のマーク列を再生すると同時に、前記半値幅の狭い方の部に記録されているマーク列を再生することを特徴とする。
【００３３】
第１２の発明は、第１０又は第１１に記載の発明に係る情報記録及び／又は再生装置において、前記複数のレーザ光のうちの一のレーザ光を用いて、前記半値幅の狭い方の部に対してトラッキング制御を行い、前記複数のレーザ光から前記一のレーザ光を除いた他のレーザ光は、前記一のレーザ光に連動してトラッキング方向に動作させるトラッキング制御手段を有することを特徴とする。
【００３４】
第１３の発明は、第１２の発明に係る情報記録及び／又は再生装置において、前記複数のレーザ光から前記一のレーザ光を除いた他のレーザ光のうちの少なくとも１つのレーザ光を用いて、前記半値幅の広い方の部に対してフォーカス制御を行い、前記フォーカス制御に用いないレーザ光は、前記フォーカス制御に用いるレーザ光に連動してフォーカス方向に動作させるフォーカス制御手段を有することを特徴とする。
【００３５】
第１４の発明は、第１０又は第１１に記載の発明に係る情報記録及び／又は再生装置において、前記複数のレーザ光のうちの一のレーザ光を用いて、前記半値幅の狭い方の部に対してトラッキング制御を行い、前記複数のレーザ光から前記一のレーザ光を除いた他のレーザ光は、前記一のレーザ光に連動してトラッキング方向に動作させるトラッキング制御手段と、前記一のレーザ光を用いて、前記半値幅の狭い方の部に対してフォーカス制御を行い、前記複数のレーザ光から前記一のレーザ光を除いた他のレーザ光のうちの少なくとも１つのレーザ光を用いて、前記半値幅の広い方の部に対してフォーカス制御を行い、前記フォーカス制御に用いないレーザ光は、前記フォーカス制御に用いるレーザ光に連動してフォーカス方向に動作させるフォーカス制御手段を有することを特徴とする。
【００３６】
第１５の発明は、第１０乃至第１４の何れか一に記載の発明に係る情報記録及び／又は再生装置において、前記基板は、前記記録層に前記複数のレーザ光が照射されることにより形成される複数の光スポット列の半径方向の間隔調整に用いられるレーザ位置調整マークを有し、前記レーザ位置調整マークを用いて、前記複数の光スポット列の半径方向の間隔の調整を行う間隔調整手段を有することを特徴とする。
【００３７】
第１６の発明は、第１０乃至第１４の何れか一に記載の発明に係る情報記録及び／又は再生装置において、前記基板は、前記記録層に前記複数のレーザ光が照射されることにより形成される複数の光スポット列の半径方向の間隔調整に用いられるレーザ位置調整マークを有し、前記レーザ位置調整マークを用いて、前記複数の光スポット列のレーザ走査方向の間隔の計測を行う間隔計測手段を有することを特徴とする。
【００３８】
第１７の発明は、第１０乃至第１４の何れか一に記載の発明に係る情報記録及び／又は再生装置において、前記基板は、前記記録層に前記複数のレーザ光が照射されることにより形成される複数の光スポット列の半径方向の間隔調整、及び、複数の光スポット列のレーザ走査方向の間隔の計測に用いられるレーザ位置調整マークを有し、前記レーザ位置調整マークを用いて、複数の光スポット列の半径方向の間隔の調整を行う間隔調整手段と、前記レーザ位置調整マークを用いて、前記複数の光スポット列のレーザ走査方向の間隔の計測を行う間隔計測手段と、を有することを特徴とする。
【００３９】
第１８の発明は、第１６又は第１７に記載の発明に係る情報記録及び／又は再生装置において、前記一のレーザ光によって読み取られた前記アドレス情報及び前記複数の光スポット列のレーザ走査方向の間隔の計測結果に基づいて、前記複数のレーザ光から前記一のレーザ光を除いた他のレーザ光のアドレスを決定するアドレス決定手段を有することを特徴とする。
【００４０】
第１９の発明は、第１０乃至第１８の何れか一に記載の発明に係る情報記録及び／又は再生装置において、記録するシリアルデータを所定の規則に従って分割し、同時に記録される複数のマーク列に対応するパラレルデータに変換するデータ分割手段、及び／又は、複数のマーク列から同時に再生されるパラレルデータを、所定の規則に従って結合しシリアルデータに変換するデータ結合手段を有することを特徴とする。
【００４１】
第２０の発明は、所定の半値幅の溝部及び前記溝部に挟まれた前記溝部とは異なる半値幅の溝間部を有する基板と、前記基板上に形成される記録層とを有し、前記記録層に複数のレーザ光が同時に照射されることにより、複数のマーク列からなる情報が同時に記録及び／又は再生される光情報記録媒体であって、前記基板の、前記溝部と前記溝間部のうちの半値幅の狭い方の部に予めアドレス情報が埋め込まれており、前記半値幅の広い方の部に複数のマーク列が同時に記録される、及び／又は、前記半値幅の広い方の部に記録されている複数のマーク列が同時に再生されることを特徴とする。
【００４２】
第２１の発明は、第２０に記載の発明に係る光情報記録媒体において、前記溝部と前記溝間部のうちの半値幅の広い方の部に複数のマーク列を記録すると同時に、前記半値幅の狭い方の部にマーク列を記録する、及び／又は、前記溝部と前記溝間部のうちの半値幅の広い方の部に記録されている複数のマーク列を再生すると同時に、前記半値幅の狭い方の部に記録されているマーク列を再生することを特徴とする。
【００４３】
第２２の発明は、第２０又は第２１に記載の発明に係る光情報記録媒体において、前記基板は、前記記録層に前記複数のレーザ光が照射されることにより形成される複数の光スポット列の半径方向の間隔調整、及び／又は、複数の光スポット列のレーザ走査方向の間隔の計測に用いられるレーザ位置調整マークを有することを特徴とする。
【発明の効果】
【００４４】
本発明によれば、安定なトラッキング制御及び信頼性の高いアドレス検出を実現できる光情報記録媒体、光情報記録媒体の記録及び／又は再生方法、記録及び／又は再生装置を提供することができる。
【発明を実施するための最良の形態】
【００４５】
最初に、本発明の概要について説明をする。情報記録及び／又は再生装置において、データ転送速度は、フォーマット効率をｋとすると、（データ転送速度）＝ｋ×（線速度）÷（ビット長）×（チャンネル数）で決まる。よって、線速度を高め（回転数を高め）、ビット長を小さくすればデータ転送速度を高めることができる。しかし、サーボ帯域やスピンドルモータなどの制約から、回転数としては、１０，０００ｒｐｍ程度が限界であり、これ以上の大幅な高速化は困難である（現状以上の高線速度化は困難）。
【００４６】
仮に将来、更なる高速回転が実現されたとしても、高々現状の１．２〜１．５倍程度と予測される。又、いわゆる筆先記録等の技術によって、ビット長の小さい記録マークを形成することは可能であるが、再生時のレーザ光の波長とＮＡ（開口数）で決まる回折限界が存在し、この回折限界以下の記録マークは再生不可能であるという制約があるため、現状以上にビット長を小さくすることは困難である。
【００４７】
つまり、再生可能な範囲以下にはビット長を小さくすることができないため、ビット長によってデータ転送速度を現状よりも大幅に向上させることは困難である。そこで本発明では、データ転送速度を高めるために、データ記録及び／又は再生を行うレーザ光の数（チャンネル数）を増やして、並列処理する（複数のレーザ光で記録及び／又は再生を同時に行う）。記録及び／又は再生品質が確保できる最高速度で記録及び／又は再生を行えば、従来の光情報記録媒体よりもチャンネル数倍のデータ転送速度を得ることができる。
【００４８】
又、複数のレーザ光（マルチビーム）により記録及び／又は再生を行うことで、従来よりも光情報記録媒体の回転数を低回転数としても従来以上の高転送速度が実現できるため、光情報記録媒体の記録及び／又は再生装置の消費電力を少なくすることができ、省エネルギーに貢献できる。次に、本発明では、従来の光情報記録媒体とは異なるフォーマット（溝形状等を含む）を採用することで、複数のレーザ光（マルチビーム）による高速記録及び／又は再生下でのフォーカス制御及びトラッキング制御の安定性を高め（記録及び／又は再生時の線速度や回転数を高めるためには、トラッキング制御やフォーカス制御の安定性が必要不可欠である）、かつ記録及び／又は再生装置の簡略化を図ることができる。
【００４９】
まず、本発明では、トラッキング制御の安定性を高めるために、トラックピッチを広げる。トラックピッチを広げることを可能とするため、複数のレーザ光により記録及び／又は再生を行い、該複数のレーザ光のうち、特定のレーザ光に対してのみトラッキング制御を行い、他のレーザ光は、トラッキング制御が行われるレーザ光に連動してトラッキング制御させるようにする。これにより、全てのレーザ光に対して案内溝は必要なくなるため、案内溝の本数を大幅に減らすことができ、トラックピッチを大幅に広げることが可能となる。
【００５０】
トラクピッチを広げることで、プッシュプル信号等のトラッキング制御用信号の振幅が格段に大きくなり、トラッキング制御の安定性が高まる。よって従来よりも、より高速回転で光情報記録媒体を安定して回転させることができる。又、従来は、レーザ光のビーム径に対してトラックピッチが非常に狭かったため（例えば、Ｂｌｕ-ｒａｙ  Ｄｉｓｃではレーザ光のビーム径（１／ｅ２）が約０．４３μｍ、トラックピッチが０．３２μｍ）、プッシュプル信号等のトラッキング制御用信号が、多くのトラックの影響（溝形状のバラツキやウォブル信号等による影響）を受けノイズとなっていたが、本発明では、レーザ光のビーム径に対してトラックピッチを大幅に広げることが可能となるため、前述のようなトラッキング制御用信号に混入するノイズを低減することができ、トラッキング安定性を高めることができる。
【００５１】
又、図２７に示すような従来の複数の光スポットを用いて記録及び／又は再生を行う光情報記録媒体においては、レーザ光を、案内溝のエッジに追従させるために、トラッキング制御が不安定になるという問題や、全てのレーザ光が案内溝に追従しないため、アドレス情報を高い信頼性で検出できないという問題があった。又、トラッキングエラーは、案内溝のエッジに追従する２つのレーザ光から生成しなければならず、信号処理回路が複雑化し、コスト上昇の要因になるという問題があった。
【００５２】
本発明では、溝部と溝間部のうちの半値幅の狭い方の部にアドレス情報を埋め込み、複数のレーザ光により記録及び／又は再生を行い、該複数のレーザ光のうち、１つのレーザ光のみにより、溝部と溝間部のうちの半値幅の狭い方の部に対してトラッキング制御を行い、他のレーザ光は、トラッキング制御が行われるレーザ光に連動してトラッキング制御させるようにする。これにより、レーザ光を、溝部と溝間部のうちの半値幅の狭い方の部のエッジに追従させる必要がなくなるため、本発明においては、前述の従来の問題が解決される。
【００５３】
本発明では、複数のレーザ光により記録及び／又は再生が同時に行われるが、この複数のレーザ光による並列処理を効率良く行うためには、トラッキング制御やフォーカス制御の簡略化を図ることが重要である。そのため本発明では、全てのレーザ光に対して、トラッキング制御やフォーカス制御を行わず、特定のレーザ光に対してのみトラッキング制御やフォーカス制御を行い、他のレーザ光は、トラッキング制御やフォーカス制御が行われるレーザ光に連動してトラッキング制御やフォーカス制御させるようにしている。
【００５４】
複数のレーザ光のうち、特定のレーザ光に対してのみトラッキング制御を行い、他のレーザ光は、トラッキング制御が行われるレーザ光に連動してトラッキング制御するためには、複数のレーザの位置関係は固定されていることが好ましい。ところで、複数の光源は、例えば、ビームの偏光面を制御し、プリズム等の光学素子を用いて光学的にビームを合成する方法、基板上にＶ字型の形状を持つ溝を形成し、その溝上に光ファイバーを並べる方法、レーザアレー素子から出射される複数本のビームを直接合成する方法、光導波路を用いる方法等により実現することが可能である。
【００５５】
本発明において、複数のレーザを発生させる光源としては、レーザアレー、光ファイバーアレー、光導波路アレーを用いる方法が好ましい。これらの光源では、複数のレーザ光の光情報記録媒体上での光スポットの相対位置関係は不変であるため、特定のレーザ光に対してのみトラッキング制御を行うことで、他のレーザ光は、連動して容易にトラッキング制御できるからである。
【００５６】
前述のような（図２４及び図２５参照）複数のレーザ光に対して、同数の案内溝がある光情報記録媒体では、全てのレーザ光でトラッキング制御、及びフォーカス制御する必要があり、光情報記録媒体上での光スポットの相対位置関係は不変であるレーザアレー、光ファイバーアレー、光導波路アレー等による複数スポット形成法は使用し難い（この場合、ビーム合成等の方法による複数スポット形成法を使用することが好ましい）。
【００５７】
しかしながら、全てのレーザ光を個別にトラッキング制御、及びフォーカス制御することは容易でなく、又、記録及び／又は再生装置が非常に複雑になる。そこで本発明では、上記問題を解決するため、光情報記録媒体上での光スポットの相対位置関係は不変であるレーザアレー、光ファイバーアレー、光導波路アレー等による複数スポット形成法を使用し、複数のレーザ光のいずれか１つのレーザ光に対してトラッキング制御を行い、残るレーザ光はトラッキング制御されたレーザ光に連動させても、トラッキング制御が行われないレーザ光による記録マーク部の記録及び／又は再生品質の低下が起こらないようなフォーマットを採用する。
【００５８】
本発明では、例えば、光情報記録媒体上での光スポットの相対位置関係は不変であるレーザアレー、光ファイバーアレー、光導波路アレー等による複数スポット形成法により、３つのレーザ光で同時記録及び／又は再生を行う場合は、３つのレーザ光のうちの１つのみを溝部と溝間部のうちの半値幅の狭い方の部に追従させるようにトラッキング制御を行う。本発明において、トラッキング制御されるレーザ光が追従する部は、凸部であっても凹部であっても構わない（トラッキング制御されるレーザ光は、いわゆるグルーブ部に追従させても、ランド部に追従させても構わない）。
【００５９】
例えば、３つのレーザ光のうちの真中に配置されたレーザ光を溝部と溝間部のうちの半値幅の狭い方の部に追従させ、その両側に配置されたレーザ光は溝部と溝間部のうちの半値幅の狭い方の部に追従するレーザ光に同調させることによって、トラッキング制御が行われる。両側に配置されたレーザ光が走査する半径位置は平坦である。従って、両側に配置されたレーザ光は、追従する半径位置がずれたとしても、レーザ光が通過する各層の膜厚、最適フォーカス位置（フォーカスオフセット量）、或いは、レーザ光が照射される範囲での溝形状差異により記録時の熱の出入りが異なることが生じないため、良好な記録品質が維持できる。
【００６０】
更に、３つのレーザ光の光スポット相対位置関係は不変であるため、真中に配置されたレーザ光のみをトラッキング制御して記録した場合、両側に配置されたレーザ光は、ほぼ完全に真中に配置されたレーザ光が追従する溝部と溝間部のうちの半値幅の狭い方の部と真円度、偏芯量、溝形状バラツキ等が同じ記録マーク列が形成されるという利点も有する。従って、３つのレーザ光（真中に配置されたレーザ光及びその両側に配置されたレーザ光）で同時に再生を行う場合、真中に配置されたレーザ光だけを溝部と溝間部のうちの半値幅の狭い方の部に追従させれば、その両側に配置されたレーザ光もそれぞれの記録マーク列に制度良く追従できる。
【００６１】
一方、フォーカス制御については、フォーカス制御に用いる信号は、溝部や溝間部のエッジの影響を少なくすることが好ましい。何故なら、溝部や溝間部の影響が大きいと、フォーカス制御を行う信号中に溝による回折の影響が大きくなり、フォーカスの安定性が悪化するためである。従って、本発明では、例えば、トラッキング制御が溝部で行われる場合、つまり溝部の半値幅に対し、溝間部の半値幅が十分広い場合（本発明の規定）、フォーカス制御が行われるレーザ光は、溝の影響を出来るだけ排除するために、複数のレーザ光の中から、溝間部の中心近傍に位置するレーザ光を選択することが好ましい。
【００６２】
この場合、溝間部は溝部に対して十分広い幅を有するため、フォーカス制御をフラットな面（溝が存在しない部分）で行うことができるため、非常に安定したフォーカス制御が実現でき、高速な記録及び／又は再生を安定に行うことができる。なお、本発明で言う溝部とは、記録及び／又は再生するレーザ光から見て凸部を指し、凹部は溝間部と呼ぶ。レーザがトラッキング制御により追従する部は溝部であっても、溝間部であっても良い。
【００６３】
一方、トラッキング制御が溝間部で行われる場合、つまり溝間部の半値幅に対し、溝部の半値幅が十分広い場合（本発明の規定）、フォーカス制御が行われるレーザ光は、溝間部の影響を出来るだけ排除するために、複数のレーザ光の中から、溝部の中心近傍に位置するレーザ光を選択することが好ましい。この場合、溝部は溝間部に対して十分広い幅を有するため、フォーカス制御がフラットな面（溝が存在しない部分）で行うことができるため、非常に安定したフォーカス制御が実現でき、高速な記録及び／又は再生を安定に行うことができる。
【００６４】
以上説明したように、光情報記録媒体の回転数の高速化に伴い、光情報記録媒体の面振れ、溝部と溝間部のうちの半値幅の狭い方の部の形状バラツキ、偏芯等の、制御系に加わる外乱の周波数が高くなるため、従来から一般的に使用されているフィードバック制御方式では、外乱の周波数が高くなるにつれて、その抑制効果が低くなる。すなわち、高速で光情報記録媒体を回転させるほど、レーザ光の焦点を光情報記録媒体上に合わせるフォーカス制御、レーザ光を光情報記録媒体のトラック（案内溝など）に追従させるトラッキング制御は、高精度な制御が困難になる。
【００６５】
従って、本発明では、従来よりも光情報記録媒体を高速で回転させることができるように、フォーカス制御、及びトラッキング制御を行う。具体的には、フォーカス制御、及びトラッキング制御に加わる外乱の影響を少なくするために、フォーカス制御、及びトラッキング制御を行うレーザ光を限定し、溝部と溝間部のうちの半値幅の狭い方の部の形状バラツキによる面振れやノイズ、偏芯の悪化を低減させるため、トラックピッチを広げ、安定した溝部形状又は溝間部形状を確保することで、トラッキング制御に加わる外乱の周波数を下げることができる（高速回転時も溝部と溝間部のうちの半値幅の狭い方の部に安定してトラッキング制御できる）。
【００６６】
更に、溝部と溝間部のうちの半値幅の狭い方の部の形状バラツキによる面振れや偏芯の悪化を低減させるため、溝部と溝間部のうちの半値幅の狭い方の部のエッジの影響の少ない部分でフォーカス制御することで、フォーカス制御に加わる外乱の周波数を下げることができる（高速回転時も安定してフォーカス制御できる）。なお、本発明に係る光情報記録媒体は、溝部と溝間部を含む基板に特徴を有しており、本発明に係る溝部と溝間部を含む基板を有する光情報記録媒体であれば、その層構成は、例えば、ＣＤやＤＶＤ、ＢＤに準ずるもの、又は、これらと全く異なるもの等どのようなものであっても構わない。
【００６７】
図１を参照しながら、本発明に係る光情報記録媒体の層構成の一例について説明をする。図１は、本発明に係る光情報記録媒体の層構成の例を示す断面図である。図１に示す光情報記録媒体は、案内溝を有する基板１０６上に、レーザ光の入射方向からみて、少なくとも第一保護層１０２、記録層１０３、第二保護層１０４、反射層１０５がこの順に積層形成されている。又、図１に示す光情報記録媒体は記録層が１層の場合の例であるが、透明の中間層を介して記録層を２層以上有する光情報記録媒体も実現可能であり、その場合には、光の入射方向からみて手前の層は、奥側の層の記録再生を行うために、半透明である必要がある。
【００６８】
基板１０６は、スパイラル状に形成された案内溝（溝部）１１０、案内溝（溝部）１１０に挟まれた溝間部１２０を有する。図１に示す例では、案内溝１１０の半値幅は、溝間部１２０の半値幅よりも狭く形成されている。なお、半値幅とは、図１（ｂ）における、（ａ＋ｂ）／２をいう。又、基板１０６の材料は、通常、ガラス、セラミックス、あるいは樹脂であり、樹脂基板が成形性、コストの点で好適である。樹脂の例としてはポリカーボネート樹脂、アクリル樹脂、エポキシ樹脂等が挙げられるが、成形性、光学特性、コストの点で優れるポリカーボネート樹脂、アクリル系樹脂が好ましい。
【００６９】
基板１０６は、準拠する規格に適した大きさ、厚さ、案内溝等の形状を有するように成形したものを用いる。案内溝１１０は、例えば、蛇行溝（ウォブル）となっており、ウォブルの位相を反転したり、周波数をある決められた領域で変更したりして、アドレス情報や、記録に必要な情報等が埋め込まれている。
【００７０】
第一保護層１０２の材料としては、Ｓｉ、Ｚｎ、Ｓｎ、Ｉｎ、Ｍｇ、Ａｌ、Ｔｉ、Ｚｒ、Ｎｂ、Ｔａなどの各酸化物；Ｓｉ、Ｇｅ、Ａｌ、Ｔｉ、Ｂ、Ｚｒなどの各窒化物；Ｚｎ、Ｔａなどの各硫化物；Ｓｉ、Ｔａ、Ｂ、Ｗ、Ｔｉ、Ｚｒなどの各炭化物；ダイヤモンド状カーボン；或いはそれらの混合物が挙げられる。異なる材料を積層して用いてもよい。第一保護層１０２の膜厚は、反射率、変調度や記録感度に大きく影響するので、下部保護層の膜厚に対して、ディスク反射率が極小値となる膜厚とすると記録感度が増大し望ましいく、例えば、２０〜５０ｎｍとすることができる。
【００７１】
記録層１０３には、例えば、結晶状態と非晶質（アモルファス）状態の可逆的相変化を利用したいわゆる相変化型記録膜を含むものや，光吸収により非可逆的な光学特性（吸収係数や屈折率）の変化を起こす色素材料や無機材料からなる追記型記録膜を含むものが好適である。相変化型記録膜としては、ＧｅＴｅ−Ｓｂ２Ｔｅ３擬似２元系組成を有していて、Ｇｅ２Ｓｂ２Ｔｅ５などの化合物組成に代表されるＧｅ−Ｓｂ−Ｔｅ系３元合金材料や、Ｓｂ７０−Ｔｅ３０共晶組成近傍を主成分とし、Ａｇ−Ｉｎ−Ｓｂ−Ｔｅに代表されるＳｂＴｅ共晶系材料、その他、Ｇｅ−Ｓｂ系材料、Ｇａ−Ｓｂ系材料、Ｉｎ−Ｓｂ系材料等が好適である。無機系追記型記録膜としては、Ｔｅ−Ｏ−Ｐｄ等の酸化テルル系材料、Ｂｉ−Ｂ−Ｏ等の酸化ビスマス系材料等が好適である。
【００７２】
第二保護層１０４の材料としては、第一保護層１０２と同様に、Ｓｉ、Ｚｎ、Ｓｎ、Ｉｎ、Ｍｇ、Ａｌ、Ｔｉ、Ｚｒ、Ｎｂ、Ｔａなどの各酸化物；Ｓｉ、Ｇｅ、Ａｌ、Ｔｉ、Ｂ、Ｚｒなどの各窒化物；Ｚｎ、Ｔａなどの各硫化物；Ｓｉ、Ｔａ、Ｂ、Ｗ、Ｔｉ、Ｚｒなどの各炭化物；ダイヤモンド状カーボン；或いはそれらの混合物が挙げられる。第二保護層１０４も反射率、変調度に影響するが、記録感度への影響が最も大きく、適切な熱伝導率を有するものを用いることが重要である。さらに、異なる材料を積層して用いてもよい。
【００７３】
第二保護層１０４の膜厚は、例えば、１０〜５０ｎｍとすることができる。これより薄い場合には記録層１０３の光吸収率が低下し、さらに、記録層１０３で発生した熱が反射層１０５へ拡散されやすくなるため、記録感度が大幅に低下してしまう恐れがある。又、これより厚くなると、クラックが発生しやすくなる恐れがある。
【００７４】
反射層１０５としてはＡｌ、Ａｕ、Ａｇ、Ｃｕ等の金属及びそれらを主成分とする合金が好ましい。合金化する際の添加元素としては、Ｂｉ、Ｉｎ、Ｃｒ、Ｔｉ、Ｓｉ、Ｃｕ、Ａｇ、Ｐｄ、Ｔａ、Ｎｄなどが使用できる。反射層１０５は、記録再生時の光を反射して光の利用効率を高めると共に、記録時に発生した熱を逃がす放熱層の役割も担う。一層の光情報記録媒体の場合、あるいは、二層以上の光情報記録媒体の光の入射側からみて奥側の記録層へ記録する場合の反射層は、光の利用効率と冷却速度の確保の観点から、７０ｎｍ以上の厚さとすることが望ましい。しかし、光の利用効率、及び、冷却速度はある程度の膜厚以上では飽和してしまい、また、厚過ぎると膜応力により基板の反りを生じたり、膜剥がれを起こす場合もあるので、３００ｎｍ以下とすることが望ましい。
【００７５】
二層以上の光情報記録媒体の場合には、光情報記録媒体のレーザ光の入射側からみて手前側の層の反射層は、光を透過する必要があることからあまり厚くすることはできず、５〜１５ｎｍの範囲とすることが望ましい。しかし、これでは、放熱特性が悪いため、良好な記録ができない場合があるため、次に説明する放熱層を用いる。
【００７６】
放熱層は、図１に示す一層の光情報記録媒体の場合には不要であるが、二層以上の光情報記録媒体の場合に必要となる層である。二層以上の光情報記録媒体の場合には、光情報記録媒体の光の入射側からみて手前の層へ記録する場合の放熱性の確保と反射率の調整のために反射層と中間層の間に設けられる。尚、中間層とは、二層以上の光情報記録媒体の各層を分離するための層である。
【００７７】
放熱層は、透過率が高く、熱伝導率が大きいことが望ましく、透明導電膜として知られるＩｎ２Ｏ３、ＺｎＯ、ＳｎＯを主成分としたものやそれらの混合物、あるいはＴｉＯ２、Ａｌ２Ｏ３、ＺｒＯ２、Ｎｂ２Ｏ５を主成分としたものやそれらの混合物などを用いることができる。記録層１０３の組成によってはそれ程放熱性を必要としない場合もあるので、その場合には、保護膜としてよく用いられるＺｎＳとＳｉＯ２の混合物を用いてもよい。
【００７８】
放熱層の厚さは、１０〜１５０ｎｍ程度が好ましい。１０ｎｍより薄いと、放熱層や光学調整層としての機能が不足し、厚すぎると、膜応力により基板の反りを生じたり、膜剥がれを起こす恐れもあるためである。
【００７９】
次に、硫化防止層について説明をする。硫化防止層は、図１には示されていないが、反射層１０５としてＡｇまたは、Ａｇ合金を用い、第二保護層１０４としてＺｎＳとＳｉＯ２の混合物のようにＳを含む膜を用いる場合には、保存中の反射層１０５の硫化による欠陥の発生を防止するため、第二保護層１０４と反射層１０５の間に設けられる。硫化防止層としては、Ｓｉ、ＳｉＣ、ＴｉＣ、ＴｉＯ２、ＴｉＣとＴｉＯ２の混合物等が適している。
【００８０】
硫化防止層の膜厚は、少なくとも１ｎｍ以上としないと均一な膜が形成されないため、硫化防止の機能が損なわれてしまう。好ましくは２ｎｍ以上とする。厚さの上限は媒体の光学特性や熱特性のバランスをみながら決められるが、通常、１０ｎｍ以下とした方がそのバランスがよく、良好な繰り返し記録特性を得られることが多い。
【００８１】
中間層は、図１に示す一層の光情報記録媒体の場合には不要であるが、二層以上の光情報記録媒体の場合に必要となる層である。二層以上の光情報記録媒体の各層を分離するための層であり、例えば、厚さ２５μｍの透明樹脂層で形成される。
【００８２】
上述のような層を、案内溝（溝部）１１０及び溝間部１２０を有する基板１０６上に、光の入射方向からみて、少なくとも第一保護層１０２、記録層１０３、第二保護層１０４、反射層１０５をこの順に積層形成する。又、例えば、光の入射方向からみて最前部にカバー層１０１の形成を行っても良い。記録層１０３が、相変化型記録膜の場合は、その後、初期化工程を経て本発明に係る光情報記録媒体が完成する。尚、初期化工程とは１×(数１０〜数１００)μｍ程度に成形された１〜２Ｗ程度のレーザ光を走査しながら照射して、成膜直後は非晶質状態である記録層１０３を結晶化する工程である。
【００８３】
本発明に係る光情報記録媒体の例えば最内周部（リードイン領域）には、最適な記録ストラテジ情報や最適な記録パワー情報などの記録最適化情報が、例えばウォブルやピットなどを用いて書き込まれている。記録最適化情報には、情報記録装置側にあらかじめ格納されている記録ストラテジなどの中から最適なものを選択するために必要な情報なども含まれる。後述する本発明に係る情報記録及び／又は再生装置は、本発明の光情報記録媒体に書き込まれている記録最適化情報を読み取り、最適な記録ストラテジや最適な記録パワー条件などの最適な記録条件で記録を行うことにより、好適な記録が可能となる。
【００８４】
以下、図面を参照して、本発明を実施するための最良の形態の説明を行う。
【００８５】
〈第１の実施の形態〉
図２は、本発明の第１の実施の形態に係る光情報記録媒体における案内溝の配置例を示す図である。図２において、２００は光情報記録媒体、２１０は光情報記録媒体２００にスパイラル状に形成された案内溝（溝部）、２２０は隣接する案内溝２１０の間の溝間部、１Ｌ、１Ｃ、１Ｒ、２Ｌ、２Ｃ、２Ｒは記録マーク列、２３０ａはレーザ光ＢＬ、２３０ｂはレーザ光Ｂｃ、２３０ｃはレーザ光ＢＲ、２４０は対物レンズを示している。
【００８６】
図２に示す光情報記録媒体２００において、レーザ光Ｂｃ２３０ｂは、光情報記録媒体２００に形成された案内溝２１０に追従するように照射され、トラッキング制御が行われる。又、レーザ光Ｂｃ２３０ｂの両側のレーザ光ＢＬ２３０ａ及びレーザ光ＢＲ２３０ｃが走査する半径位置には案内溝は存在せず、レーザ光ＢＬ２３０ａ及びレーザ光ＢＲ２３０ｃに対してトラッキング制御は行われない。記録及び／又は再生は、３つのレーザ光（レーザ光ＢＬ２３０ａ、レーザ光Ｂｃ２３０ｂ及びレーザ光ＢＲ２３０ｃ）、によって同時に行われる。なお、複数のレーザ光源としては、光スポット間の相対位置関係が固定されるレーザアレー、光ファイバーアレー、光導波路アレー等による複数スポット形成法を用いることが好ましい（本発明の有効性が高まる）。
【００８７】
又、図３は、レーザ光Ｂｃ２３０ｂに対してのみトラッキング制御を行った場合のレーザ光ＢＬ２３０ａ及びレーザ光ＢＲ２３０ｃの様子を説明するための図である。同図中、図２と同一部品については、同一符号を付し、その説明は省略する。図３において、２０１は光情報記録媒体２００の基板、２０２は光情報記録媒体２００の基板２０１上に形成された記録層、２０３は光情報記録媒体２００の記録層２０２上に形成された反射層を示している。また、一点鎖線は、図２４及び図２５に示す従来の光情報記録媒体３０において、溝部が形成されていた箇所を示している（本発明に係る光情報記録媒体２００では、この部分には溝は形成されてなく平坦な面になっている）。
【００８８】
前述の図２４に示すように、個別に形成された３つのスパイラル状の案内溝に３つのレーザ光（レーザ光ＢＬ３３ａ、レーザ光Ｂｃ３３ｂ及びレーザ光ＢＲ３３ｃ）を照射する場合に、真中のレーザ光Ｂｃ３３ｂのみに対してトラッキング制御を行うと、図２５に示すように、レーザ光Ｂｃ３３ｂの両側のレーザ光ＢＬ３３ａ及びレーザ光ＢＲ３３ｃが案内溝の中心から大きく変位する箇所が発生する恐れが生じるが、図３に示すように、本発明のフォーマットでは、トラッキング制御が行われないレーザ光ＢＬ２３０ａ及びレーザ光ＢＲ２３０ｃは、図３（ａ）及び図３（ｃ）に示すように、フラットな面に存在するため、図２５に示すような問題は発生せず、均一な記録マークが形成され、良好な記録及び／又は再生特性が確保できる。なお、図３（ｂ)に示すレーザ光Ｂｃ２３０ｂは、案内溝の存在する位置に配置されるが、このレーザ光Ｂｃ２３０ｂはトラッキング制御されるため、レーザ光Ｂｃ２３０ｂにより、常に案内溝の中心に均一な記録マークが形成されることは言うまでもない。
【００８９】
本発明のように、案内溝なしに形成される記録マーク列では、記録及び／又は再生時の信頼性が向上するというメリットがある。すなわち、トラッキング制御されないレーザ光により再生される記録マーク列が、案内溝に形成されている場合は、該レーザ光のオフセット量（案内溝中心からのズレ量）によって記録及び／又は再生特性が劣化しやすいが、トラッキング制御されないレーザ光により記録及び／又は再生される記録マーク列が、案内溝のない部分（案内溝の影響が少ない半径位置）に沿って形成される場合は、該レーザ光のオフセット量（案内溝中心からのズレ量）による記録及び／又は再生特性が劣化しにくいためである。何故なら、案内溝に形成される記録マーク列を再生する場合、再生信号の品質は、記録マークの品質だけでなく、案内溝の影響が大きくなるためである。
【００９０】
図４は、溝部と溝間部におけるトラッキングオフセット量とジッタとの関係を例示する図である。図４において、横軸はトラッキングオフセット、縦軸はジッタを示している。図４に示すように、溝部と溝間部の半値幅の狭い方を再生した場合のジッタ（ａ）と溝部と溝間部の半値幅の広い方を再生した場合のジッタ（ｂ）から、トラッキング制御されないレーザ光の記録マーク列に対するトラックオフセット量に対する記録及び／又は再生特性（例えばジッタ）の劣化は、案内溝の影響が少ない場合ほど、すなわち、溝部にトラッキング制御用のレーザ光をトラッキングし、該溝部よりも半値幅の広い溝間部にトラッキングしない記録マーク列が形成される場合、又は、溝間部にトラッキング制御用のレーザ光をトラッキングし、該溝間部よりも半値幅の広い溝部にトラッキングしない記録マーク列が形成される場合に、小さくなる。なお、案内溝にも記録を行う場合は、案内溝に追従するレーザ光は、トラッキング制御と同時にフォーカス制御することが好ましい。
【００９１】
図５は、図２において案内溝に記録を行わない場合の例を説明するための図である。同図中、図２と同一部品については、同一符号を付し、その説明は省略する。図２と異なる部分は、案内溝に記録を行わない点のみである。図５に示すように、案内溝２１０に記録を行わない場合は、案内溝２１０に追従するレーザ光Ｂｃ２３０ｂは、トラッキング制御のみで、フォーカス制御する必要はない。又、図５に示すように、案内溝２１０に記録を行わない場合は、案内溝２１０での記録及び／又は再生特性を考慮する必要がないため、案内溝２１０の形状や深さを、トラッキング制御を行いやすいように自由に設定することが可能である。
【００９２】
なお、図２及び図５のように、２つ又は３つのレーザ光で同時に記録及び／又は再生を行い、真中に位置するレーザ光Ｂｃ２３０ｂのみでトラッキング制御を行う場合、案内溝２１０は図６のように設定することができる。図６は、本発明の第１の実施の形態における案内溝２１０と３つのレーザ光（レーザ光ＢＬ２３０ａ、レーザ光Ｂｃ２３０ｂ及びレーザ光ＢＲ２３０ｃ）との関係を模式的に示す図である。同図中、図２と同一部品については、同一符号を付し、その説明は省略する。図６において、Ｐ１〜Ｐ６は、レーザ光ＢＬ２３０ａ、レーザ光Ｂｃ２３０ｂ及びレーザ光ＢＲ２３０ｃの照射位置を示している。
【００９３】
図６に示すように、初期にＰ１に位置していた３つのレーザ光（レーザ光ＢＬ２３０ａ、レーザ光Ｂｃ２３０ｂ及びレーザ光ＢＲ２３０ｃ）がＰ１→Ｐ２→Ｐ３→Ｐ４→Ｐ５→Ｐ６と移動した時、Ｐ１位置でのレーザ光ＢＲ２３０ｃにより記録及び／又は再生される記録マーク列と、Ｐ６位置でのレーザ光ＢＬ２３０ａにより記録及び／又は再生される記録マーク列とが、クロストーク許容範囲以上に離れるように案内溝のピッチを設定することができる。又、図２３で説明したような、記録及び／又は再生するトラックの重複を避けるためのトラックジャンプをする必要はない。
【００９４】
次にフォーカス制御について説明する。本発明に係るフォーカス制御は、少なくとも案内溝にトラッキングしないレーザ光により行うことが好ましい。フォーカス制御に使用されるレーザ光は、案内溝のない（案内溝の影響の少ない）フラットな面（但し、多少は案内溝の影響があっても良い）に配置されるレーザ光であるため、より安定したフォーカス制御が行える。この様子は図３及び図２５に示す通りであり、案内溝に追従するレーザ光でフォーカス制御も同時に行う場合は、図２５に示すように、案内溝の形状バラツキやトラッキングの残留エラー等によって、フォーカス面の上限変動が大きくなるため、フォーカス時の残留エラーが非常に大きくなる。
【００９５】
フォーカス時の残留エラーが非常に大きくなると、サーボ許容値を超えてしまうため、高速で光情報記録媒体を回転させることができない。つまり、高転送レート化が十分に行えなくなる。通常、案内溝を形成する基板を作製するには、スタンパ作製工程（ガラス基板の用意、感光膜（レジスト）の塗布、カッティング、現像、導電処理、電解メッキ、スタンパ作成、スタンパの仕上げ等からなる）、基板成形工程、記録膜成膜工程等の多くの工程を経るため、各工程でのバラツキや外乱によって案内溝は多種のノイズを有することになる。
【００９６】
従って、案内溝でフォーカス制御する場合、高速化は容易ではない。一方、図３に示すように、本発明に係る光情報記録媒体において、フォーカス制御するレーザ光（図３では、レーザ光ＢＬ２３０ａ及び／又はレーザ光ＢＲ２３０ｃ）の照射位置には案内溝が存在しないため、レーザ光の照射位置に多少の変動が生じても、残留エラー量を著しく小さくすることができ、光情報記録媒体を高速で回転させることが可能となる。すなわち、高転送レート化を実現することができる。
【００９７】
案内溝がフォーカス制御の安定性に与える影響は簡単に観察することができる。例えば、図７は、ＢＤ−Ｒ（追記型Blu-ray Disc）に１トラックのみ記録を行った場合の再生信号を例示する図である。図７において、横軸は時間であり、縦軸は電圧である。又、１５０は、ジャンプバック直後の再生信号を示している。スパイラル状の案内溝を有する基板の１つの同じトラックのみに記録を行う場合、まず、常時レーザ光を当該トラックに位置させるために、レーザ光をジャンプバックさせることを繰り返す。そして任意のタイミングで記録されるが、図７に示すように、ジャンプバック直後（再生信号の１５０の部分）ではフォーカス安定性が悪くなり、残留エラーが増加するため、記録マークが正常に記録されず、いわゆる歯抜け状態になっている。
【００９８】
図８は、ＢＤ−Ｒ（追記型Blu-ray Disc）に連続記録を行った場合の再生信号を例示する図である。図８において、横軸は時間であり、縦軸は電圧である。図７に示す１トラックのみの記録の場合とは異なり、連続記録の場合には、図８に示すように、記録マーク部の歯抜け状態（図７の１５０の部分）は観測されない。つまり、ＢＤ−Ｒ（追記型Blu-ray Disc）の案内溝の深さは２０ｎｍ程度であるが、２０ｎｍ程度という非常に浅い案内溝であっても、この段差によってフォーカス制御が不安定になり残留エラーが増加し、記録及び／又は再生品質が著しく劣化することがわかる。このような１トラック記録における記録及び／又は再生品質の劣化は、記録及び／又は再生速度が速くなるほど大きくなる。従って、高転送速度を実現し、かつ良好な記録品質を確保するには、案内溝の影響を極力排除することが重要と考えられる。
【００９９】
なお、図２等において、溝部（案内溝）に集光されるレーザ光と、溝間部に集光されるレーザ光では、焦点距離を変える必要があるように見える。しかし、実際の溝部（案内溝）の深さは数十ｎｍ程度である。一方、レーザ光の焦点深度は数μｍ程度であるから、溝部（案内溝）に集光されるレーザ光と、溝間部に集光されるレーザ光では、焦点距離を変える必要はない。
【０１００】
ところで、複数のレーザ光の位置調整は、例えば、光スポットの配置を回転制御することにより、光情報記録媒体の半径方向に連続する溝部／溝間部や、光情報記録媒体の半径方向に飛び飛びの溝部／溝間部等に、全ての光スポットを同時に配置することが可能になる。例えば、ドーブのプリズムを用いれば、ある光スポットを中心にして、光情報記録媒体上の像（光スポットの配置）を回転することができる。複数のレーザ光を用いた情報記録及び／又は再生装置の光スポットの位置決めでは、全体の位置決め制御と、それぞれの光スポットを個別に制御の少なくとも１つを行う必要がある。
【０１０１】
両方の制御ができることが、光スポットの理想的な位置決めであるが、記録及び／又は再生装置の複雑化等を考えると、全体の位置決め制御のみで、個々の光スポットの位置決めも行えることが好ましい。すなわち、光源として、複数の光源を一体化（光集積化）して作製する場合、全体の位置決め制御のみで全ての光スポットを所望の記録位置（半径位置）に配置させなくてはならない。
【０１０２】
例えば、半導体プロセスに従って、半導体レーザダイオードアレイを作製する場合、現状では、各半導体レーザダイオードの配置精度は６５ｎｍ（±３２．５ｎｍ以下）と考えられるため、半導体レーザダイオードの間隔に少なくとも±６５ｎｍの作製誤差（作製ゆらぎ）を見込む必要がある。また、この半導体レーザダイオードアレイを光ヘッドに搭載した場合、光情報記録媒体上では光学系の横倍率（コリメータレンズの焦点距離と対物レンズの焦点距離との比）だけ間隔のゆらぎが縮小されるので、横倍率が１／３〜１／２の光学系を用いると、光情報記録媒体上における光スポットの間隔（ピッチ）のゆらぎが±２０ｎｍ〜３０ｎｍ程度発生する。
【０１０３】
従って、光スポットの個別制御ができない光源を使用する場合、従来の図２４のよう案内溝配置では（３つのレーザ光で記録及び／又は再生を行う場合で、それぞれのレーザ光に対して個別に案内溝が形成されている場合）、トラッキング制御するレーザ光Ｂｃ３３ｂ以外のレーザ光ＢＬ３３ａ及びレーザ光ＢＲ３３ｃは個別にトラッキング制御できないので、レーザ光ＢＬ３３ａ及びレーザ光ＢＲ３３ｃは、レーザ光ＢＬ３３ａ及びレーザ光ＢＲ３３ｃが描くべき理想の軌跡に対して±２０ｎｍ〜３０ｎｍ程度のトラックオフセットが発生する可能性がある。つまり、複数の光源を一体化（光集積化）したマルチレーザ光光源を使用する場合、レーザ光ＢＬ３３ａ及びレーザ光ＢＲ３３ｃは図２５（ａ）及び図２５（ｃ）に示すように必ずトラックオフセットが生じ、記録及び／又は再生品質が大きく低下する。
【０１０４】
一方、本発明に係る光情報記録媒体では、図２、図３及び図５に示すように、レーザ光ＢＬ２３０ａ及びレーザ光ＢＲ２３０ｃが走査する位置には、案内溝がないため、従来のようなトラックオフセットの問題は発生しない。すなわち、図２、図３及び図５に示すような本発明に係る案内溝配置（物理フォーマット）では、複数の光源を一体化（光集積化）したマルチレーザ光光源を使用する場合に非常に有効な物理フォーマットである。
【０１０５】
次に本発明に係る光情報記録媒体に記録及び／又は再生を行う情報記録及び／又は再生装置について説明する。図９は、本発明に係る情報記録及び／又は再生装置の例を示す図である。同図中、図５と同一部品については、同一符号を付し、その説明は省略する。図９に示す情報記録及び／又は再生装置は、光ピックアップ５００、送り機構５１０、スピンドルモータ５２０、第１の信号処理手段５３０、第２の信号処理手段５４０、コントロール手段５５０、サーボ駆動回路５６０、レーザ駆動・制御手段５７０から構成されている。また、２００は、図５に示す本発明に係る光情報記録媒体であり、溝部２１０及び溝間部２２０を有する。
【０１０６】
光ピックアップ５００は、レーザダイオードアレイ５０１、光導波路５０２、コリメートレンズ５０３、偏光ビームスプリッタ５０４、１／４波長板５０５、対物レンズ５０６、フォーカス及びトラッキング駆動コイル５０７、シリンドリカルレンズ５０８、フォトディテクタアレイ５０９から構成されている。又、レーザダイオードアレイ５０１は、３つのレーザダイオード５０１ａ〜５０１ｃ、フォトディテクタアレイ５０９は３つのフォトディテクタ５０９ａ〜５０９ｃから構成されている。
【０１０７】
第１の信号処理手段５３０は、トラッキングエラー生成手段５３１、フォーカスエラー生成手段５３２、再生信号生成手段５３３、５３４、再生信号処理手段５３５〜５３７等から構成されている。又、第２の信号処理手段５４０は、トラッキング制御手段５４１、フォーカス制御手段５４２、送り制御手段５４３、回転制御手段５４４、データ変調手段５４５、データ分割手段５４６、データ復調手段５４７、データ結合手段５４８、アドレス処理手段５４９等から構成されている。
【０１０８】
光ピックアップ５００において、光情報記録媒体２００に記録された情報を再生する場合には、コントロール手段５５０は、レーザ駆動・制御手段５７０に指令を出し、レーザダイオードアレイ５０１を構成する３つのレーザダイオード５０１ａ〜５０１ｃを、レーザ駆動・制御手段５７０により駆動して、各レーザダイオードから所定のレーザパワーに制御されたレーザ光ＢＬ２３０ａ、レーザ光Ｂｃ２３０ｂ、レーザ光ＢＲ２３０ｃを発光する。レーザ光ＢＬ２３０ａ、レーザ光Ｂｃ２３０ｂ、レーザ光ＢＲ２３０ｃは、光導波路５０２により所定の間隔になり、コリメートレンズ５０３で平行光になる。
【０１０９】
その後、偏光ビームスプリッタ５０４により、ｓ偏光とｐ偏光に分離され、例えばｐ偏光は直進し、１／４波長板５０５で円偏光となり、対物レンズ５０６により、光情報記録媒体２００に集光される。ここで、後述するトラッキング制御手段５４１により、３つのレーザ光のうち、レーザ光Ｂｃ２３０ｂは図５に示すように溝部２１０に、レーザ光ＢＬ２３０ａ及びレーザ光ＢＲ２３０ｃは、溝間部２２０に集光される。
【０１１０】
レーザ光Ｂｃ２３０ｂは溝部２１０で、レーザ光ＢＬ２３０ａ及びレーザ光ＢＲ２３０ｃは溝間部２２０でそれぞれ反射され、１／４波長板５０５でｓ偏光となり、偏光ビームスプリッタ５０４により光路を略９０°曲げられシリンドリカルレンズ５０８を経由し、レーザ光ＢＬ２３０ａの反射光はフォトディテクタアレイ５０９を構成するフォトディテクタ５０９ａ、レーザ光Ｂｃ２３０ｂの反射光はフォトディテクタアレイ５０９を構成するフォトディテクタ５０９ｂ、レーザ光ＢＲ２３０ｃの反射光はフォトディテクタアレイ５０９を構成するフォトディテクタ５０９ｃに入力され、それぞれの光強度に対応する電気信号に変換され、第１の信号処理手段５３０に入力される。
【０１１１】
ここで、フォトディテクタアレイ５０９を構成するフォトディテクタ５０９ａ〜５０９ｃの検出パターンを図９（ｂ）に例示する。フォトディテクタ５０９ａは、４つの領域Ａ〜Ｄに分割された検出パターンになっており、シリンドリカルレンズ５０８との組み合わせにより、周知の非点収差法によるフォーカス制御を実現する。フォトディテクタ５０９ａの４つの領域Ａ〜Ｄに対応する電気信号Ａ〜Ｄは、第１の信号処理手段５３０中のフォーカスエラー信号生成手段５３２に入力され、フォーカスエラー信号Ｆ＝（Ａ＋Ｃ）−（Ｂ＋Ｄ）が生成される。
【０１１２】
フォーカスエラー信号Ｆは、第２の信号処理手段５４０中のフォーカス制御手段５４２に入力され、所定の増幅、位相補償、低域持ち上げ等の信号処理が行われた後、サーボ駆動回路５６０に入力される。サーボ駆動回路５６０は、フォーカス及びトラッキング駆動コイル５０７を、入力されるフォーカスエラー信号Ｆに応じてフォーカス方向に駆動し、フォーカス制御が実現される。なお、フォーカス制御手段５４２は、所定のフォーカスバイアスを生成することができる。フォーカスバイアスは、ジッタやエラーレートなどを最適化するために、必要に応じてフォーカス制御ループに注入される。
【０１１３】
ここで、フォーカスエラー信号Ｆは、レーザ光ＢＬ２３０ａに対応するフォトディテクタ５０９ａのみによって生成されているため、レーザ光Ｂｃ２３０ｂ及びレーザ光ＢＲ２３０ｃは、フォーカス制御には寄与しない。すなわち、フォーカス制御はレーザ光ＢＬ２３０ａのみにより行われ、レーザ光Ｂｃ２３０ｂ及びレーザ光ＢＲ２３０ｃは、レーザ光ＢＬ２３０ａに連動してフォーカス方向（レーザ光の光軸方向）に動作する。
【０１１４】
又、フォトディテクタ５０９ｂは、２つの領域Ｅ、Ｆに分割された検出パターンになっており、周知のプッシュプル法によるトラッキング制御を実現する。フォトディテクタ５０９ｂの２つの領域Ｅ、Ｆに対応する電気信号Ｅ、Ｆは、第１の信号処理手段５３０中のトラッキングエラー信号生成手段５３１に入力され、トラッキングエラー信号Ｔ＝Ｅ−Ｆが生成される。
【０１１５】
トラッキングエラー信号Ｔは、第２の信号処理手段５４０中のトラッキング制御手段５４１に入力され、所定の増幅、位相補償、低域持ち上げ等の信号処理が行われた後、サーボ駆動回路５６０に入力される。サーボ駆動回路５６０は、フォーカス及びトラッキング駆動コイル５０７を、入力されるトラッキングエラー信号Ｔに応じてトラッキング方向に駆動し、トラッキング制御が実現される。
【０１１６】
ここで、トラッキングエラー信号Ｔは、レーザ光Ｂｃ２３０ｂに対応するフォトディテクタ５０９ｂのみによって生成されているため、レーザ光ＢＬ２３０ａ及びレーザ光ＢＲ２３０ｃは、トラッキング制御には寄与しない。すなわち、トラッキング制御はレーザ光Ｂｃ２３０ｂのみにより、溝部２１０に追従するように行われ、レーザ光ＢＬ２３０ａ及びレーザ光ＢＲ２３０ｃは、レーザ光Ｂｃ２３０ｂに連動してトラッキング方向に動作する。
【０１１７】
又、トラッキングエラー信号Ｔは、送り制御手段５４３にも入力され、トラッキングエラー信号Ｔの低域成分が抽出され、サーボ駆動回路５６０に入力される。サーボ駆動回路５６０は、光ピックアップ５００を光情報記録媒体２００の半径方向に移動させる送り機構５１０を、入力されるトラッキングエラー信号Ｔの低域成分に応じて半径方向に駆動し、送りサーボが実現される。なお、送り制御手段５４３は、コントロール手段５５０の指令により、サーボ駆動回路５６０を駆動し、送り機構５１０により光ピックアップ５００を光情報記録媒体２００の半径方向に移動させる、いわゆるシーク動作を実現する。
【０１１８】
フォトディテクタ５０９ａ、５０９ｂ、５０９ｃの各電気信号出力は、それぞれレーザ光ＢＬ２３０ａ、レーザ光Ｂｃ２３０ｂ、レーザ光ＢＲ２３０ｃの照射された記録マーク列に対応する再生信号情報を有する。フォトディテクタ５０９ａからの電気信号Ａ〜Ｄは、第１の信号処理手段５３０中の再生信号生成手段５３４に入力され、再生信号ａ＝Ａ＋Ｂ＋Ｃ＋Ｄが生成され、再生信号処理手段５３７で波形等化等の信号処理が行われた後、第２の信号処理手段５４０中のデータ復調手段５４７に入力される。
【０１１９】
又、フォトディテクタ５０９ｂからの電気信号Ｅ、Ｆは、第１の信号処理手段５３０中の再生信号生成手段５３３に入力され、再生信号ｂ＝Ｅ＋Ｆが生成され、再生信号処理手段５３６で波形等化等の信号処理が行われた後、第２の信号処理手段５４０中のデータ復調手段５４７に入力される。又、フォトディテクタ５０９ｃからの電気信号Ｇ（＝再生信号ｃ）は、第１の信号処理手段５３０中の再生信号処理手段５３５で波形等化等の信号処理が行われた後、第２の信号処理手段５４０中のデータ復調手段５４７に入力される。
【０１２０】
データ復調手段５４７に入力された再生信号ａ〜ｃは、復調された後、復調信号ａ〜ｃとなり、データ結合手段５４８に入力される。復調信号ａ〜ｃは、３つのレーザ光によりパラレル（並列）に読取られた信号から生成されたものであるが、元々は１つのシリアル（直列）信号である。従って、復調信号ａ〜ｃは、データ結合手段５４８の有するメモリ（図示せず）に一旦記憶された後、所定のルールに則り、所定のデータ単位ごとにデータ結合手段５４８で結合され、シリアルの再生信号が生成される。
【０１２１】
又、再生データは、回転制御手段５４４にも入力され、所定の信号処理がされた後、回転エラー信号としてサーボ駆動回路５６０に入力される。サーボ駆動回路５６０は、スピンドルモータ５２０を、入力される回転エラー信号に応じて駆動し、光情報記録媒体２００を所定の回転数で回転させる回転制御が実現される。
【０１２２】
又、光情報記録媒体２００の溝部２１０にウォブルにより埋め込まれているアドレス情報は、トラッキングエラー信号Ｔ（プッシュプル信号）から読み取ることができる。アドレス処理手段５４９に入力されたトラッキングエラー信号Ｔ（プッシュプル信号）は、バンドパスフィルタにより所定の周波数成分が抽出され、アドレス復調されて、溝部２１０にウォブルにより埋め込まれているアドレス情報が読み取られる。
【０１２３】
光ピックアップ５００において、光情報記録媒体２００に情報を記録する場合には、記録データは、元々は１つのシリアル信号であるが、本発明に係る情報記録及び／又は再生装置において、図５に示す例では２つのレーザ光によりパラレルに記録するため、コントロール手段５５０の指令により、シリアル信号である記録データは、データ変調手段５４５で変調された後、データ分割手段５４６の有するメモリ（図示せず）に一旦記憶され、所定のルールに則り、所定のデータ単位ごとにデータ分割手段５４６で２つに分割されて、パラレルの記録信号ａ、ｂに変換される。
【０１２４】
パラレル信号に変換された記録信号ａ、ｂは、レーザ駆動・制御手段５７０に入力され、レーザダイオードアレイ５０１を構成する３つのレーザダイオード５０１ａ、５０１ｃを、レーザ駆動・制御手段５７０により駆動して、各レーザダイオードから最適な記録ストラテジや最適な記録パワーに制御されたレーザ光ＢＬ２３０ａ、レーザ光ＢＲ２３０ｃを発光する。なお、図５に示す例では、溝部２１０には記録をしないので、レーザ光Ｂｃ２３０ｂは、記録パワーにする必要がないため、所定の再生パワーに制御される（記録パワーに制御して、記録は行わずトラッキング制御のみを行っても構わない）。
【０１２５】
なお、最適な記録ストラテジ情報や最適な記録パワー情報などの記録最適化情報は、本発明に係る光情報記録媒体２００の例えば最内周部（リードイン領域）に、例えばウォブルやピットなどを用いて書き込まれている。記録最適化情報には、情報記録及び／又は再生装置側にあらかじめ格納されている記録ストラテジなどの中から最適なものを選択するために必要な情報なども含まれる。本発明に係る情報記録及び／又は再生装置は、光情報記録媒体２００に書き込まれている記録最適化情報を読み取り、最適な記録ストラテジや最適な記録パワー条件などの最適な記録条件で記録を行うことにより、好適な記録が可能となる。
【０１２６】
レーザダイオードアレイ５０１で発光されたレーザ光ＢＬ２３０ａ、レーザ光Ｂｃ２３０ｂ、レーザ光ＢＲ２３０ｃは、再生の場合と同様に光情報記録媒体２００に集光され、レーザ光ＢＬ２３０ａ、レーザ光ＢＲ２３０ｃにより所定の情報が記録される。なお、フォーカス制御、トラッキング制御等のサーボ制御は、再生の場合と全く同様に機能する。記録パワーは再生パワーに比べて大きいため、フォトディテクタアレイ５０９の信号飽和を防止するため、必要に応じ、フォトディテクタアレイ５０９の信号レベルが小さくなるようにゲイン調整を行うこともできる。
【０１２７】
又、フォトディテクタ５０９ｃを４つの領域Ｇ〜Ｊに分割された検出パターンにして、レーザ光ＢＬ２３０ａ、レーザ光ＢＲ２３０ｃの２つからの反射光を用い、フォーカスエラー信号Ｆ＝｛（Ａ＋Ｃ）−（Ｂ＋Ｄ）＋（Ｇ＋Ｉ）―（Ｈ＋Ｊ）｝／２を生成し、フォーカス制御を行っても構わない。
【０１２８】
このように、本発明の第１の実施の形態によれば、溝部と溝間部のうちの半値幅の狭い方の部である溝部に予めアドレス情報が記録されている光情報記録媒体の、半値幅の狭い方の部である溝部に、複数のレーザ光の中の１つのレーザ光のみを用いてトラッキング制御を行い、半値幅の広い方の部である溝間部に複数のレーザ光の中のトラッキング制御に用いたレーザ光以外のレーザ光のみを用いてフォーカス制御を行い、他のレーザ光は、トラッキング制御やフォーカス制御が行われるレーザ光に連動してトラッキング制御やフォーカス制御することにより、光情報記録媒体のトラックピッチ（溝部の間隔）を大幅に広げることが可能となり、又、トラッキング制御においてレーザ光を溝部のエッジに追従させる必要がなくなるため、トラッキング制御及びフォーカス制御の簡素化及び安定性向上、信頼性の高いアドレス検出が実現され、従来に比べて転送速度を大幅に高めることができる。又、複数のレーザ光による並列処理が行われる記録及び／又は再生装置の簡略化を図ることができる。
【０１２９】
〈第２の実施の形態〉
図１０は、本発明の第２の実施の形態に係る光情報記録媒体における案内溝の配置例を示す図である。同図中、図２と同一部品については、同一符号を付し、その説明は省略する。第１の実施の形態では、レーザ光Ｂｃ２３０ｂを用いて案内溝２１０にトラッキング制御を行ったが、第２の実施の形態では、図１０に示すように、レーザ光ＢＲ２３０ｃを用いて案内溝２１０にトラッキング制御を行う例を示す。図１０において、３つのレーザ光（レーザ光ＢＬ２３０ａ、レーザ光Ｂｃ２３０ｂ及びレーザ光ＢＲ２３０ｃ）は、最右に位置するレーザ光ＢＲ２３０ｃが光情報記録媒体２００に形成された案内溝２１０に追従するように配置され、トラッキング制御が行われる。レーザ光ＢＬ２３０ａ及びレーザ光Ｂｃ２３０ｂは、トラッキング制御は行われず、トラッキング制御が行われるレーザ光ＢＲ２３０ｃに連動してトラッキング方向に動作する。
【０１３０】
図１０に示す光情報記録媒体２００において、レーザ光ＢＲ２３０ｃよりも左側に配置されたレーザ光ＢＬ２３０ａ及びレーザ光Ｂｃ２３０ｂが走査する半径位置には案内溝２１０は存在せず、レーザ光ＢＬ２３０ａ及びレーザ光Ｂｃ２３０ｂに対してトラッキング制御は行われない。図２４に示すように、個別に形成された３つのスパイラル状の案内溝３１ａ〜３１ｃに３つのレーザ光（レーザ光ＢＬ３３ａ、レーザ光Ｂｃ３３ｂ及びレーザ光ＢＲ３３ｃ）を照射する場合に、真中のレーザ光Ｂｃ３３ｂのみに対してトラッキング制御を行うと、図２５に示すように、レーザ光Ｂｃ３３ｂの両側のレーザ光ＢＬ３３ａ及びレーザ光ＢＲ３３ｃが案内溝の中心から大きく変位する箇所が発生する恐れが生じるが、本発明に係る光情報記録媒体２００のフォーマットでは、トラッキング制御が行われないレーザ光ＢＬ２３０ａ及びレーザ光Ｂｃ２３０ｂは、フラットな面に存在するため、図２５に示すような問題は発生せず、均一な記録マークが形成され、良好な記録及び／又は再生特性が確保できる。なお、最右のレーザ光ＢＲ２３０ｃは、案内溝２１０の存在する位置に配置されるが、このレーザ光ＢＲ２３０ｃはトラッキング制御されるため、常に案内溝２１０の中心に均一な記録マークが形成されることは言うまでもない。
【０１３１】
本発明のように、案内溝なしに形成される記録マーク系列では、第１の実施の形態で説明した通り、記録及び／又は再生時の信頼性が向上するというメリットがある。すなわち、トラッキング制御されないレーザ光により再生される記録マーク列が、案内溝に形成される場合は、該レーザ光のオフセット量（案内溝中心からのズレ量）によって記録及び／又は再生特性が劣化しやすいが、トラッキング制御されないレーザ光により記録及び／又は再生されるマーク列が、案内溝のない部分（案内溝の影響が少ない半径位置）に沿って形成される場合は、該レーザ光のオフセット量（案内溝中心からのズレ量）による記録及び／又は再生特性が劣化しにくいためである。何故なら、案内溝に形成される記録マークを再生する場合、再生信号の品質は、記録マークの品質だけでなく、案内溝の影響が大きくなるためである。案内溝にも記録を行う場合は、案内溝に追従するレーザ光は、トラッキング制御と同時にフォーカス制御することが好ましい。
【０１３２】
図１１は、図１０において案内溝に記録を行わない場合の例を説明するための図である。同図中、図１０と同一部品については、同一符号を付し、その説明は省略する。図１０と異なる部分は、案内溝２１０に記録を行わない点のみである。図１１に示すように、案内溝２１０に記録を行わない場合は、案内溝２１０に追従するレーザ光ＢＲ２３０ｃは、トラッキング制御のみを行い、フォーカス制御を行う必要はない。図１１に示すように、案内溝２１０に記録を行わない場合は、案内溝２１０での記録及び／又は再生特性を考慮する必要がないため、案内溝２１０の形状や深さを、トラッキング制御を行いやすいように自由に設定することが可能である。
【０１３３】
なお、図１０及び図１１のように、２つ又は３つのレーザ光で同時に記録及び／又は再生を行い、最右に位置するレーザ光ＢＲ２３０ｃのみでトラッキング制御を行う場合、案内溝２１０は図１２のように設定することができる。図１２は、本発明の第２の実施の形態における案内溝２１０と３つのレーザ光（レーザ光ＢＬ２３０ａ、レーザ光Ｂｃ２３０ｂ及びレーザ光ＢＲ２３０ｃ）との関係を模式的に示す図である。同図中、図１０と同一部品については、同一符号を付し、その説明は省略する。図１２において、Ｐ１〜Ｐ６は、レーザ光ＢＬ２３０ａ、レーザ光Ｂｃ２３０ｂ及びレーザ光ＢＲ２３０ｃの照射位置を示している。
【０１３４】
図１２に示すように、初期にＰ１に位置していた３つのレーザ光（レーザ光ＢＬ２３０ａ、レーザ光Ｂｃ２３０ｂ及びレーザ光ＢＲ２３０ｃ）がＰ１→Ｐ２→Ｐ３→Ｐ４→Ｐ５→Ｐ６と移動した時、Ｐ１位置でのレーザ光ＢＲ２３０ｃにより記録及び／又は再生される記録マーク列と、Ｐ６位置でのレーザ光ＢＬ２３０ａにより記録及び／又は再生される記録マーク列とが、クロストーク許容範囲以上に離れるように案内溝のピッチを設定することができる。又、図２３で説明したような、記録及び／又は再生するトラックの重複を避けるためのトラックジャンプをする必要はない。
【０１３５】
なお、第２の実施の形態に係る光情報記録媒体２００におけるフォーカス制御は、第１の実施の形態と同様であり、フォーカス制御は、少なくとも案内溝２１０にトラッキングしないレーザ光ＢＬ２３０ａ及び／又はレーザ光Ｂｃ２３０ｂにより行うことが好ましい。フォーカス制御に使用されるレーザ光は、案内溝２１０のエッジの影響が少ないフラットな面（多少は案内溝の影響があっても良い）に配置されるレーザ光であるため、より安定したフォーカス制御が行える。
【０１３６】
次に本発明に係る光情報記録媒体に記録及び／又は再生を行う情報記録及び／又は再生装置について説明する。図１３は、本発明に係る情報記録及び／又は再生装置の他の例を示す図である。同図中、図９と同一部品については、同一符号を付し、その説明は省略する。２００は、図１０に示す本発明に係る光情報記録媒体であり、溝部２１０及び溝間部２２０を有する。図９と異なる部分は、レーザ光ＢＲ２３０ｃによりトラッキング制御を行い、レーザ光Ｂｃ２３０ｂ及びレーザ光ＢＲ２３０ｃによりフォーカス制御を行う点及びレーザ光ＢＲ２３０ｃにより案内溝２１０にも記録を行う点である。
【０１３７】
図１３において、レーザ光ＢＬ２３０ａの反射光は、光ピックアップ６００中のフォトディテクタアレイ６０９を構成するフォトディテクタ６０９ａ、レーザ光Ｂｃ２３０ｂの反射光はフォトディテクタアレイ６０９を構成するフォトディテクタ６０９ｂ、レーザ光ＢＲ２３０ｃの反射光はフォトディテクタアレイ６０９を構成するフォトディテクタ６０９ｃに入力され、それぞれの光強度に対応する電気信号に変換され、第１の信号処理手段６３０に入力される。
【０１３８】
ここで、フォトディテクタアレイ６０９を構成するフォトディテクタ６０９ａ〜６０９ｃの検出パターンを図１３（ｂ）に例示する。フォトディテクタ６０９ａは、分割されていない領域Ｉからなる検出パターンである。フォトディテクタ６０９ｂは、４つの領域Ａ〜Ｄに分割された検出パターンになっており、シリンドリカルレンズ５０８との組み合わせにより、周知の非点収差法によるフォーカス制御を実現する。フォトディテクタ６０９ｃは、４つの領域Ｅ〜Ｈに分割された検出パターンになっており、シリンドリカルレンズ５０８との組み合わせにより、周知の非点収差法によるフォーカス制御を実現する。
【０１３９】
フォトディテクタ６０９ｂの４つの領域Ａ〜Ｄに対応する電気信号Ａ〜Ｄ及びフォトディテクタ６０９ｃの４つの領域Ｅ〜Ｈに対応する電気信号Ｅ〜Ｈは、第１の信号処理手段６３０中のフォーカスエラー信号生成手段６３２に入力され、フォーカスエラー信号Ｆ＝｛（Ａ＋Ｃ）−（Ｂ＋Ｄ）＋（Ｅ＋Ｇ）−（Ｆ＋Ｈ）｝／２が生成される。フォーカスエラー信号Ｆは、第２の信号処理手段５４０中のフォーカス制御手段５４２に入力され、所定の増幅、位相補償、低域持ち上げ等の信号処理が行われた後、サーボ駆動回路５６０に入力される。サーボ駆動回路５６０は、フォーカス及びトラッキング駆動コイル５０７を、入力されるフォーカスエラー信号Ｆに応じてフォーカス方向に駆動し、フォーカス制御が実現される。なお、フォーカス制御手段５４２は、所定のフォーカスバイアスを生成することができる。フォーカスバイアスは、ジッタやエラーレートなどを最適化するために、必要に応じてフォーカス制御ループに注入される。
【０１４０】
ここで、フォーカスエラー信号Ｆは、レーザ光Ｂｃ２３０ｂとレーザ光ＢＲ２３０ｃの平均値から生成されているため、レーザ光ＢＬ２３０ａは、フォーカス制御には寄与しない。すなわち、フォーカス制御はレーザ光Ｂｃ２３０ｂとレーザ光ＢＲ２３０ｃの平均値により行われ、レーザ光ＢＬ２３０ａは、レーザ光Ｂｃ２３０ｂとレーザ光ＢＲ２３０ｃに連動してフォーカス方向に動作する。
【０１４１】
又、４つの領域Ｅ〜Ｈに分割された検出パターンになっているフォトディテクタ６０９ｃは、前述のようにフォーカス制御を実現すると共に、周知のプッシュプル法によるトラッキング制御を実現する。フォトディテクタ６０９ｃの４つの領域Ｅ〜Ｈに対応する電気信号Ｅ〜Ｈは、第１の信号処理手段６３０中のトラッキングエラー信号生成手段６３１に入力され、トラッキングエラー信号Ｔ＝（Ｅ＋Ｆ）−（Ｇ＋Ｈ）が生成される。
【０１４２】
トラッキングエラー信号Ｔは、第２の信号処理手段５４０中のトラッキング制御手段５４１に入力され、所定の増幅、位相補償、低域持ち上げ等の信号処理が行われた後、サーボ駆動回路５６０に入力される。サーボ駆動回路５６０は、フォーカス及びトラッキング駆動コイル５０７を、入力されるトラッキングエラー信号Ｔに応じてトラッキング方向に駆動し、トラッキング制御が実現される。
【０１４３】
ここで、トラッキングエラー信号Ｔは、レーザ光ＢＲ２３０ｃに対応するフォトディテクタ６０９ｃのみによって生成されているため、レーザ光ＢＬ２３０ａ及びレーザ光Ｂｃ２３０ｂは、トラッキング制御には寄与しない。すなわち、トラッキング制御はレーザ光ＢＲ２３０ｃのみにより、溝部２１０に追従するように行われ、レーザ光ＢＬ２３０ａ及びレーザ光Ｂｃ２３０ｂは、レーザ光ＢＲ２３０ｃに連動してトラッキング方向に動作する。
【０１４４】
光ピックアップ６００において、光情報記録媒体２００に情報を記録する場合には、記録データは、元々は１つのシリアル信号であるが、本発明に係る情報記録及び／又は再生装置において、図１０に示す例では３つのレーザ光によりパラレルに記録するため、コントロール手段５５０の指令により、シリアル信号である記録データは、データ変調手段５４５で変調された後、データ分割手段５４６の有するメモリ（図示せず）に一旦記憶され、所定のルールに則り、所定のデータ単位ごとにデータ分割手段５４６で３つに分割されて、パラレルの記録信号ａ〜ｃに変換される。
【０１４５】
パラレル信号に変換された記録信号ａ〜ｃは、レーザ駆動・制御手段５７０に入力され、レーザダイオードアレイ５０１を構成する３つのレーザダイオード５０１ａ〜５０１ｃを、レーザ駆動・制御手段５７０により駆動して、各レーザダイオードから最適な記録ストラテジや最適な記録パワーに制御されたレーザ光ＢＬ２３０ａ、レーザ光Ｂｃ２３０ｂ、レーザ光ＢＲ２３０ｃを発光する。
【０１４６】
なお、最適な記録ストラテジ情報や最適な記録パワー情報などの記録最適化情報は、本発明に係る光情報記録媒体２００の例えば最内周部（リードイン領域）に、例えばウォブルやピットなどを用いて書き込まれている。記録最適化情報には、情報記録及び／又は再生装置側にあらかじめ格納されている記録ストラテジなどの中から最適なものを選択するために必要な情報なども含まれる。本発明に係る情報記録及び／又は再生装置は、光情報記録媒体２００に書き込まれている記録最適化情報を読み取り、最適な記録ストラテジや最適な記録パワー条件などの最適な記録条件で記録を行うことにより、好適な記録が可能となる。
【０１４７】
レーザダイオードアレイ５０１で発光されたレーザ光ＢＬ２３０ａ、レーザ光Ｂｃ２３０ｂ、レーザ光ＢＲ２３０ｃは、再生の場合と同様に光情報記録媒体２００に集光され、レーザ光ＢＬ２３０ａ、レーザ光Ｂｃ２３０ｂ、レーザ光ＢＲ２３０ｃにより所定の情報が記録される。なお、フォーカス制御、トラッキング制御等のサーボ制御は、再生の場合と全く同様に機能する。記録パワーは再生パワーに比べて大きいため、フォトディテクタアレイ６０９の信号飽和を防止するため、必要に応じ、フォトディテクタアレイ６０９の信号レベルが小さくなるようにゲイン調整を行うこともできる。
【０１４８】
第２の実施の形態で説明していない動作については、第１の実施の形態で説明した動作と全く同じである。なお、フォトディテクタ６０９ａを４つの領域Ｉ〜Ｌに分割された検出パターンにして、レーザ光ＢＬ２３０ａ、レーザ光Ｂｃ２３０ｂ、レーザ光ＢＲ２３０ｃの３つからの反射光を用い、フォーカスエラー信号Ｆ＝｛（Ａ＋Ｃ）−（Ｂ＋Ｄ）＋（Ｅ＋Ｇ）−（Ｆ＋Ｈ）＋（Ｉ＋Ｋ）―（Ｊ＋Ｌ）｝／３を生成し、フォーカス制御を行っても構わない。
【０１４９】
このように、本発明の第２の実施の形態によれば、本発明の第１の実施の形態と同様に、トラッキング制御及びフォーカス制御の簡素化及び安定性向上、信頼性の高いアドレス検出が実現され、従来に比べて転送速度を大幅に高めることができる。又、複数のレーザ光による並列処理が行われる記録及び／又は再生装置の簡略化を図ることができる。更に、図１０に示すように半値幅の狭い部である溝部にも記録する場合には、図１３に示すように半値幅の狭い部である溝部及び半値幅の広い部である溝間部の両方からの反射光（図１３では、レーザ光Ｂｃ２３０ｂ及びレーザ光ＢＲ２３０ｃの反射光）により、フォーカス制御を行うことにより、最適な記録動作を実現することができる。
【０１５０】
〈第３の実施の形態〉
図１４は、本発明の第３の実施の形態に係る光情報記録媒体における案内溝の配置例を示す図である。同図中、図２と同一部品については、同一符号を付し、その説明は省略する。図１４において、３００は光情報記録媒体、３１０は溝間部、３２０は溝部、３Ｌ、３Ｃ、３Ｒ、４Ｌ、４Ｃ、４Ｒは記録マーク列を示している。図２と異なる部分は、溝間部３１０がレーザ光（レーザ光ＢＬ２３０ａ、レーザ光Ｂｃ２３０ｂ及びレーザ光ＢＲ２３０ｃ）側から見て凹部になっており、溝間部３１０の半値幅が、溝部３２０の半値幅よりも狭い点のみである。なお、アドレス情報は、溝間部３１０に予め埋め込まれている。
【０１５１】
図１４に示す光情報記録媒体３００において、レーザ光Ｂｃ２３０ｂは、光情報記録媒体３００に形成された溝間部３１０に追従するように照射され、トラッキング制御が行われる。又、レーザ光Ｂｃ２３０ｂの両側のレーザ光ＢＬ２３０ａ及びレーザ光ＢＲ２３０ｃが走査する半径位置はフラットになっており、レーザ光ＢＬ２３０ａ及びレーザ光ＢＲ２３０ｃに対してトラッキング制御は行われない。記録及び／又は再生は、３つのレーザ光（レーザ光ＢＬ２３０ａ、レーザ光Ｂｃ２３０ｂ及びレーザ光ＢＲ２３０ｃ）、によって同時に行われる。なお、複数のレーザ光源としては、光スポット間の相対位置関係が固定されるレーザアレー、光ファイバーアレー、光導波路アレー等による複数スポット形成法を用いることが好ましい（本発明の有効性が高まる）。
【０１５２】
本発明のように、案内溝なしに形成される記録マーク系列では、記録及び／又は再生時の信頼性が向上するというメリットがある。すなわち、トラッキング制御されないレーザ光により再生される記録マーク列が、案内溝に形成されている場合は、該レーザ光のオフセット量（案内溝中心からのズレ量）によって記録及び／又は再生特性が劣化しやすいが、トラッキング制御されないレーザ光により記録及び／又は再生される記録マーク列が、案内溝のない部分（案内溝の影響が少ない半径位置）に沿って形成される場合は、該レーザ光のオフセット量（案内溝中心からのズレ量）による記録及び／又は再生特性が劣化しにくいためである。何故なら、案内溝に形成される記録マークを再生する場合、再生信号の品質は、記録マークの品質だけでなく、案内溝の影響が大きくなるためである。
【０１５３】
図１５は、図１４において案内溝に記録を行わない場合の例を説明するための図である。同図中、図１４と同一部品については、同一符号を付し、その説明は省略する。図１４と異なる部分は、溝間部３１０に記録を行わない点のみである。図１５に示すように、溝間部３１０に記録を行わない場合は、溝間部３１０に追従するレーザ光Ｂｃ２３０ｂは、トラッキング制御のみで、フォーカス制御する必要はない。又、図１５に示すように、溝間部３１０に記録を行わない場合は、溝間部３１０での記録及び／又は再生特性を考慮する必要がないため、溝間部３１０の形状や深さを、トラッキング制御を行いやすいように自由に設定することが可能である。
【０１５４】
なお、図１４及び図１５のように、２つ又は３つのレーザ光で同時に記録及び／又は再生を行い、真中に位置するレーザ光Ｂｃ２３０ｂのみでトラッキング制御を行う場合、溝間部３１０は、第１の実施の形態の場合と同様に、図６のように設定することができる。又、第３の実施の形態におけるフォーカス制御は、第１の実施の形態及び第２の実施の形態と同様であり、フォーカス制御は、少なくとも溝間部３１０にトラッキングしないレーザ光ＢＬ２３０ａ及び／又はレーザ光Ｂｃ２３０ｂにより行うことが好ましい。フォーカス制御に使用されるレーザ光は、溝間部３１０のエッジの影響が少ないフラットな面（多少は案内溝の影響があっても良い）に配置されるレーザ光であるため、より安定したフォーカス制御が行える。なお、情報記録及び／又は再生装置については、第１の実施の形態及び第２の実施の形態と同じであるため説明は省略する。
【０１５５】
このように、本発明の第３の実施の形態によれば、溝部と溝間部のうちの半値幅の狭い方の部である溝間部に予めアドレス情報が記録されている光情報記録媒体の、半値幅の狭い方の部である溝間部に、複数のレーザ光の中の１つのレーザ光のみを用いてトラッキング制御を行い、半値幅の広い方の部である溝部に複数のレーザ光の中のトラッキング制御に用いたレーザ光以外のレーザ光のみを用いてフォーカス制御を行い、他のレーザ光は、トラッキング制御やフォーカス制御が行われるレーザ光に連動してトラッキング制御やフォーカス制御することにより、光情報記録媒体のトラックピッチ（溝間部の間隔）を大幅に広げることが可能となり、又、トラッキング制御においてレーザ光を溝間部のエッジに追従させる必要がなくなるため、トラッキング制御及びフォーカス制御の簡素化及び安定性向上、信頼性の高いアドレス検出が実現され、従来に比べて転送速度を大幅に高めることができる。又、複数のレーザ光による並列処理が行われる記録及び／又は再生装置の簡略化を図ることができる。
【０１５６】
〈第４の実施の形態〉
図１６は、本発明の第４の実施の形態に係る光情報記録媒体における、複数のレーザ光の位置調整を行うプレピットの配置例を示す図である。同図中、図６と同一部品については、同一符号を付し、その説明は省略する。図１６において、４００は光情報記録媒体、４１０は光情報記録媒体４００にスパイラル状に形成された案内溝、４１０ｂ〜４１３ｂは案内溝４１０に設けられたプレピット、４１０ａ〜４１３ａ及び４１０ｃ〜４１３ｃは４１０ｂ〜４１３ｂの両側に設けられたプレピットを示している。
【０１５７】
プレピット４１０ａ〜４１３ａ、４１０ｂ〜４１３ｂ及び４１０ｃ〜４１３ｃは、レーザ位置調整用のマークとして、レーザ光ＢＬ２３０ａ、レーザ光Ｂｃ２３０ｂ及びレーザ光ＢＲ２３０ｃがそれぞれ追従すべき半径位置に設けられている。図１６に示す光情報記録媒体４００は、第１の実施の形態等で説明した光情報記録媒体２００等と同様に、２つ又は３つのレーザ光で同時に記録及び／又は再生を行い、真中に位置するレーザ光Ｂｃ２３０ｂが光情報記録媒体４００に形成された案内溝４１０に追従するように配置されトラッキング制御を行う。
【０１５８】
又、本発明の第４の実施の形態で使用できる複数のレーザ光源は、任意のものを使用することが可能であるが、記録及び／又は再生方法や記録及び／又は再生装置の簡略化を考えた場合、光情報記録媒体上での光スポットの相対位置関係は不変であるレーザアレー、光ファイバーアレー、光導波路アレー等による複数スポット形成法を用いることが好ましい。光スポットの相対位置関係が不変である複数スポット形成法を用いる場合、全体の位置決め制御のみで全ての光スポットを所望の記録位置（半径位置）に配置させる必要がある。そこで、図１６では、任意の角度位置に、レーザ位置調整マークとして、プレピット４１０ａ〜４１３ａ、４１０ｂ〜４１３ｂ及び４１０ｃ〜４１３ｃを設けた構造とした。
【０１５９】
図１６に示す光情報記録媒体４００では、プレピット４１０ａ〜４１３ａ、４１０ｂ〜４１３ｂ及び４１０ｃ〜４１３ｃを用いて、記録及び／又は再生を行うレーザ光の位置調整を行うことができる。すなわち、レーザ光Ｂｃ２３０ｂは案内溝４１０に追従するようにトラッキング制御を行うが、レーザ光ＢＬ２３０ａ及びレーザ光ＢＲ２３０ｃに対し、それぞれが追従すべき半径位置にはレーザ位置調整用のマークとしてプレピット４１０ａ〜４１３ａ及び４１０ｃ〜４１３ｃが設けられているので、レーザ光Ｂｃ４３０ｂを回転中心にしてレーザ光ＢＬ４３０ａ及びレーザ光ＢＲ４３０ｃを回転させ、プレピット４１０ａ〜４１３ａ及び４１０ｃ〜４１３ｃからの再生信号光量変化が最大（コントラスト最大）となるように該回転量を最適化することによって、記録及び／又は再生を行うレーザ光ＢＬ４３０ａ及びレーザ光ＢＲ４３０ｃの位置調整を行うことができる。
【０１６０】
このようなプレピットを用いてレーザ光の位置調整を行う方法により、容易に全ての光スポットを所望の記録位置（半径位置）に配置させることができる。なお、レーザ光の数が増えた場合は、全体としてレーザ位置調整マークからの再生信号光量変化が最大（コントラスト最大）となるように回転量を調整すれば良い。
【０１６１】
図１７は、３つのレーザ光（レーザ光ＢＬ２３０ａ、レーザ光Ｂｃ２３０ｂ、レーザ光ＢＲ２３０ｃ）がぞれぞれ所望の位置に配置されて記録及び／又は再生が行われている状態を例示する図である。同図中、図１６と同一部品については、同一符号を付し、その説明は省略する。４Ｌ、４Ｃ及び４Ｒは、記録マーク列の中心を示している。図１７において、３つのレーザ光（レーザ光ＢＬ２３０ａ、レーザ光Ｂｃ２３０ｂ及びレーザ光ＢＲ２３０ｃ）の間隔が異なるピックアップヘッドで記録及び／又は再生が行われる場合でも、常に図１７に示すように、レーザ光ＢＬ２３０ａ、レーザ光Ｂｃ２３０ｂ及びレーザ光ＢＲ２３０ｃの中心と、記録マ−ク列の中心４Ｌ、４Ｃ及び４Ｒが一致する状態にする必要がある。
【０１６２】
前述の図２６に示す従来の光情報記録媒体３０では、３つのレーザ光に対して独立に案内溝が設けられているため、案内溝の間隔が狭く、トラッキング制御やフォーカス制御が困難であるが、図１７に示す本発明に係る光情報記録媒体４００は、案内溝４１０の間隔が広いため、トラッキング制御やフォーカス制御が容易である。
【０１６３】
図１８〜図２１を参照しながら、プレピットを用いてレーザ光の位置調整を行う方法について、更に詳しく説明する。図１８は、３つのレーザ光のそれぞれに対し設けられたプレピットと各レーザ光の中心とが一致した状態（理想状態）を例示する図である。同図中、図１６及び図１７と同一部品については、同一符号を付し、その説明は省略する。図１８において、ｄ１及びｄ２は各レーザ光の傾き方向の間隔（光スポットの間隔）、ｄ３及びｄ４は各レーザ光の走査方向の間隔（光スポットの間隔の溝部に平行な方向の成分）、θ１は案内溝４１０と３つのレーザ光（レーザ光ＢＬ２３０ａ、レーザ光Ｂｃ２３０ｂ及びレーザ光ＢＲ２３０ｃ）の光スポット列とがなす角度を示している。なお、ｄ１×ｓｉｎθ１、及びｄ２×ｓｉｎθ１は、光スポットの半径方向の間隔となる。
【０１６４】
又、図１９は、３つのレーザ光のそれぞれに対し設けられたプレピットと各レーザ光の中心とが一致しない状態を例示する図である。同図中、図１８と同一部品については、同一符号を付し、その説明は省略する。図１９において、ｄ５及びｄ６は各レーザ光の傾き方向の間隔（光スポットの間隔）を示している。なお、ｄ５×ｓｉｎθ１、及びｄ６×ｓｉｎθ１は、光スポットの半径方向の間隔となる。図１９では、例えば、製造上のバラツキ等に起因しｄ５＞ｄ１，ｄ６＞ｄ２となっており、レーザ光ＢＬ２３０ａ及びレーザ光ＢＲ２３０ｃの中心は、それぞれが追従すべき位置であるプレピット４１０ａ〜４１４ａ及び４１０ｃ〜４１４ｃの中心と一致しない状態になっている。
【０１６５】
又、図２０は、レーザ光の中心と対応するプレピットの中心とが一致するようにレーザ光の位置調整を行った状態を例示する図である。同図中、図１８と同一部品については、同一符号を付し、その説明は省略する。図２０において、ｄ７及びｄ８は各レーザ光の走査方向の間隔（光スポットの間隔の溝部に平行な方向の成分）、θ２は案内溝４１０と３つのレーザ光（レーザ光ＢＬ２３０ａ、レーザ光Ｂｃ２３０ｂ及びレーザ光ＢＲ２３０ｃ）の光スポット列とがなす角度（レーザ光の位置調整後の角度）を示している。なお、ｄ５×ｓｉｎθ２、及びｄ６×ｓｉｎθ２は、光スポットの半径方向の間隔となる。図２０では、図１９の状態からレーザ光ＢＬ２３０ａ及びレーザ光ＢＲ２３０ｃの中心と、それぞれが追従すべき位置であるプレピット４１０ａ〜４１４ａ及び４１０ｃ〜４１４ｃの中心とが一致するように、案内溝４１０と３つのレーザ光（レーザ光ＢＬ２３０ａ、レーザ光Ｂｃ２３０ｂ及びレーザ光ＢＲ２３０ｃ）の光スポット列とがなす角度をθ１からθ２に調整した状態になっている。
【０１６６】
３つのレーザ光の傾き角を回転することによって、図２０に示すように、レーザ光ＢＬ２３０ａ及びレーザ光ＢＲ２３０ｃの中心と、それぞれが追従すべき位置であるプレピット４１０ａ〜４１４ａ及び４１０ｃ〜４１４ｃの中心とが一致したか否かは、プレピット４１０ａ〜４１４ａ及び４１０ｃ〜４１４ｃの列から得られる信号をモニターすることにより判断することができる。
【０１６７】
例えば、レーザ位置調整用のマーク列であるプレピット４１０ａ〜４１４ａ及び４１０ｃ〜４１４ｃの列から得られる信号の記録極性がＨｉｇｈ  ｔｏ  Ｌｏｗ型の場合（プレピット列の反射率が周辺部よりも低く、レーザ光がレーザ光調整用のマーク列であるプレピット列に照射されると反射光量が低下する場合）には、レーザ光位置調整用のマーク列であるプレピット列から得られる再生信号の反射光量が最も低下するように（コントラスト最大となるように）回転制御すれば良い。反射光量が最低となる回転角度が、それぞれのレーザ光によって異なる場合は、全体で反射光量が最低となる回転角度を求めれば良い。
【０１６８】
又、レーザ光調整用のマーク列から得られる信号の記録極性がＬｏｗ  ｔｏ  Ｈｉｇｈ型の場合（プレピット列の反射率が周辺部よりも高く、レーザ光がレーザ光調整用のマーク列であるプレピット列に照射されると反射光量が上昇する場合）、レーザ光調整用のマーク列であるプレピット列から得られる再生信号の反射光量が最も上昇するように（コントラスト最大となるように）回転制御すれば良い。
【０１６９】
なお、本発明に係る光情報記録媒体では、記録及び／又は再生の管理を行うアドレス等の情報は、トラッキング制御されるレーザ光（例えば、図２におけるレーザ光Ｂｃ２３０ｂ）が追従する案内溝（例えば、図２における案内溝２１０）に設けられる。案内溝に追従しないその他のレーザ光（例えば、図２におけるレーザ光ＢＬ２３０ａ及びレーザ光ＢＲ２３０ｃ）が走査する、記録マーク列が形成されるべき位置のアドレスは、トラッキング制御されるレーザ光（例えば、図２におけるレーザ光Ｂｃ２３０ｂ）から得られるアドレス情報と各レーザ光の番号により生成する。すなわち、ピックアップヘッドが変わっても、常にｄ３＝ｄ７、ｄ４＝ｄ８という状態が保たれるならば、レーザ光ＢＬ２３０ａ及びレーザ光ＢＲ２３０ｃのアドレスは、レーザ光Ｂｃ２３０ｂから得られるアドレスから一義的に決定することができる。
【０１７０】
しかしながら、実際には、常にｄ３＝ｄ７、ｄ４＝ｄ８という状態を保つことは不可能であるから、本発明では、レーザ光位置調整用のマークであるプレピットで、各レーザ光の中心とプレピット列の中心とを一致させると同時に、各レーザ光（レーザ光ＢＬ２３０ａ、レーザ光Ｂｃ２３０ｂ及びレーザ光ＢＲ２３０ｃ）の走査方向の間隔（光スポットの間隔の溝部に平行な方向の成分：ｄ３、ｄ７、ｄ４、ｄ８）を計測する。
【０１７１】
各レーザ光（レーザ光ＢＬ２３０ａ、レーザ光Ｂｃ２３０ｂ及びレーザ光ＢＲ２３０ｃ）の走査方向の間隔（光スポットの間隔の溝部に平行な方向の成分：ｄ３、ｄ７、ｄ４、ｄ８）が判れば、レーザ光Ｂｃ２３０ｂから得られるアドレスからレーザ光ＢＬ２３０ａ及びレーザ光ＢＲ２３０ｃのアドレスを正確に決定（補正）することができる。
【０１７２】
図２１は、各レーザ光の走査方向の間隔（光スポットの間隔の溝部に平行な方向の成分：ｄ３、ｄ７、ｄ４、ｄ８）を計測する方法を例示する図である。同図中、図２０と同一部品については、同一符号を付し、その説明は省略する。図２１（ａ）〜（ｃ）は、レーザ光ＢＬ２３０ａ、レーザ光Ｂｃ２３０ｂ及びレーザ光ＢＲ２３０ｃの中心と、それぞれが追従すべき位置であるプレピット４１０ａ〜４１４ａ、４１０ｂ〜４１４ｂ及び４１０ｃ〜４１４ｃの中心とを一致させた状態とした後に、レーザ光ＢＬ２３０ａ、レーザ光Ｂｃ２３０ｂ及びレーザ光ＢＲ２３０ｃが、それぞれプレピット４１０ａ〜４１４ａ、４１０ｂ〜４１４ｂ及び４１０ｃ〜４１４ｃを通過する様子を示したものである（レーザ光が図２１（ａ）→図２１（ｂ）→図２１（ｃ）と移動する）。
【０１７３】
このとき、レーザ光ＢＬ２３０ａ、レーザ光Ｂｃ２３０ｂ及びレーザ光ＢＲ２３０ｃから得られる、対応するプレピット４１０ａ〜４１４ａ、４１０ｂ〜４１４ｂ及び４１０ｃ〜４１４ｃの再生信号（反射光量）をモニターすると、例えば、前述のＨｉｇｈ  ｔｏ  Ｌｏｗ型の場合には、図２１（ｄ）のようになる。
【０１７４】
図２１（ｄ）において、横軸は時間、縦軸は反射信号のレベル（反射光量）であり、４２０ａはレーザ光ＢＬ２３０ａから得られる再生信号（反射光量）、４２０ｂはレーザ光Ｂｃ２３０ｂから得られる再生信号（反射光量）、４２０ｃはレーザ光ＢＲ２３０ｃから得られる再生信号（反射光量）、ＴＬＣ１及びＴＬＣ２はレーザ光ＢＬ２３０ａから得られる再生信号（反射光量）４２０ａの最低反射光量部分とレーザ光Ｂｃ２３０ｂから得られる再生信号（反射光量）４２０ｂの最低反射光量部分との時間間隔、ＴＣＲ１及びＴＣＲ２はレーザ光ＢＲ２３０ｃから得られる再生信号（反射光量）４２０ｃの最低反射光量部分とレーザ光Ｂｃ２３０ｂから得られる再生信号（反射光量）４２０ｂの最低反射光量部分との時間間隔を示している。図２１（ｄ）に示す再生信号４２０ａ、４２０ｂ、４２０ｃにおいて、再生信号レベル（反射光量）が低下している部分が、プレピットを再生している部分である（以下、プレピット再生部という）。
【０１７５】
図２１（ｄ）に示す信号において、ＴＬＣ１、ＴＣＲ１及び／又はＴＬＣ２、ＴＣＲ２を計測すれば、各レーザ光（レーザ光ＢＬ２３０ａ、レーザ光Ｂｃ２３０ｂ及びレーザ光ＢＲ２３０ｃ）の走査方向の間隔（光スポットの間隔の溝部に平行な方向の成分：ｄ３、ｄ７、ｄ４、ｄ８）を求めることができるため、レーザ光Ｂｃ２３０ｂから得られるアドレスからレーザ光ＢＬ２３０ａ及びレーザ光ＢＲ２３０ｃのアドレスを正確に決定（補正）することができる。
【０１７６】
次に本発明に係る光情報記録媒体に記録及び／又は再生を行う情報記録及び／又は再生装置について説明する。図２２は、本発明に係る情報記録及び／又は再生装置の他の例を示す図である。同図中、図９と同一部品については、同一符号を付し、その説明は省略する。４００は、図１８に示す本発明に係る光情報記録媒体であり、溝部４１０及び溝間部４２０を有する。図９と異なる部分は、光情報記録媒体４００が図２１に示すようなレーザ光位置調整用のマーク列であるプレピット列を有する点と、光ピックアップ７００が、レーザ光を回転させ、案内溝４１０と３つのレーザ光（レーザ光ＢＬ２３０ａ、レーザ光Ｂｃ２３０ｂ及びレーザ光ＢＲ２３０ｃ）の光スポット列とがなす角度を調整するドーブプリズム７０１、ドーブプリズム駆動コイル７０２、ドーブプリズム駆動・制御手段７７０を有する点である。
【０１７７】
第１の実施の形態の図９で説明したのと同様に、図２２において、フォトディテクタ５０９ａ、５０９ｂ、５０９ｃの各電気信号出力は、それぞれレーザ光ＢＬ２３０ａ、レーザ光Ｂｃ２３０ｂ、レーザ光ＢＲ２３０ｃの照射された記録マーク列に対応する再生信号情報を有する。フォトディテクタ５０９ａからの電気信号Ａ〜Ｄは、第１の信号処理手段５３０中の再生信号生成手段５３４に入力され、再生信号ａ＝Ａ＋Ｂ＋Ｃ＋Ｄが生成される。又、フォトディテクタ５０９ｂからの電気信号Ｅ、Ｆは、第１の信号処理手段５３０中の再生信号生成手段５３３に入力され、再生信号ｂ＝Ｅ＋Ｆが生成される。又、フォトディテクタ５０９ｃからの電気信号Ｇ＝再生信号ｃである。
【０１７８】
図２２における光情報記録媒体４００は、図２１に示すようなレーザ光位置調整用のマーク列であるプレピット列を有するので、再生信号ａ、再生信号ｂ、再生信号ｃはそれぞれ図２１（ｄ）における４２０ａ、４２０ｂ、４２０ｃのような波形になる（前述の、Ｈｉｇｈ  ｔｏ  Ｌｏｗ型の場合）。図２１（ｄ）のような波形である再生信号ａ、再生信号ｂ、再生信号ｃは、ドーブプリズム駆動・制御手段７７０に入力される。ドーブプリズム駆動・制御手段７７０は、ドーブプリズム駆動コイル７０２を駆動し、ドーブプリズム７０１を３つのレーザ光（レーザ光ＢＬ２３０ａ、レーザ光Ｂｃ２３０ｂ及びレーザ光ＢＲ２３０ｃ）の進行方向に対して垂直な面内において回転させ、案内溝４１０と３つのレーザ光（レーザ光ＢＬ２３０ａ、レーザ光Ｂｃ２３０ｂ及びレーザ光ＢＲ２３０ｃ）の光スポット列とがなす角度が最適になるように調整する。
【０１７９】
最適な角度の調整は、例えば、以下のように実現できる。ドーブプリズム駆動・制御手段７７０は、図２１（ｄ）における再生信号４２０ａ、４２０ｂ、４２０ｃのエンベロープをＡ／Ｄ変換して処理する機能を有する。Ａ／Ｄ変換された再生信号４２０ａのエンベロープのボトム値（Ｘ１とする）と、Ａ／Ｄ変換された再生信号４２０ｃのエンベロープのボトム値（Ｘ３とする）とを検出し、２つの検出信号から加算信号Ｙ＝Ｘ１＋Ｘ３を生成する。
【０１８０】
ドーブプリズム駆動・制御手段７７０は、加算信号Ｙをモニターしながら、ドーブプリズム駆動コイル７０２を駆動し、ドーブプリズム７０１を３つのレーザ光（レーザ光ＢＬ２３０ａ、レーザ光Ｂｃ２３０ｂ及びレーザ光ＢＲ２３０ｃ）の進行方向に対して垂直な面内において回転させ、案内溝４１０と３つのレーザ光（レーザ光ＢＬ２３０ａ、レーザ光Ｂｃ２３０ｂ及びレーザ光ＢＲ２３０ｃ）の光スポット列とがなす角度を変え、加算信号Ｙが最も小さな値になる位置（プレピット再生部における反射光量が最も小さくなる位置）にドーブプリズム７０１を固定する。このようにして、３つのレーザ光（レーザ光ＢＬ２３０ａ、レーザ光Ｂｃ２３０ｂ及びレーザ光ＢＲ２３０ｃ）の光スポット列を所望の半径位置に配置させることができる。
【０１８１】
又、ドーブプリズム駆動・制御手段７７０は、タイマー（図示せず）を有し、図２１（ｄ）に示す、時間間隔ＴＬＣ１、ＴＣＲ１及び／又はＴＬＣ２、ＴＣＲ２を計測することができる。計測は、Ａ／Ｄ変換された再生信号４２０ａのエンベロープのボトム値（Ｘ１）と、Ａ／Ｄ変換された再生信号４２０ｂのエンベロープのボトム値（Ｘ２とする）と、Ａ／Ｄ変換された再生信号４２０ｃのエンベロープのボトム値（Ｘ３）とを検出し、３つの検出信号からタイマーにより、時間間隔ＴＬＣ１、ＴＣＲ１又はＴＬＣ２、ＴＣＲ２を計測する。又、時間間隔ＴＬＣ１、ＴＣＲ１及びＴＬＣ２、ＴＣＲ２を計測し、平均値を求めても良い。
【０１８２】
時間間隔の計測結果（光スポットの間隔の溝部に平行な方向の成分の計測結果）は、アドレス処理手段５４９に送られる。アドレス処理手段５４９は、時間間隔の計測結果と予めわかっている基準の時間間隔（基準となるレーザ光の走査方向の間隔：理想値）との差から、実際のレーザ光の走査方向の間隔の理想値からのずれ量を知ることができるため、レーザ光Ｂｃ２３０ｂから得られるアドレス情報及び時間間隔の計測結果から、レーザ光ＢＬ２３０ａ及びレーザ光ＢＲ２３０ｃのアドレスを正確に決定（補正）することができる。
【０１８３】
なお、ドーブプリズム駆動・制御手段７７０による、案内溝４１０と３つのレーザ光（レーザ光ＢＬ２３０ａ、レーザ光Ｂｃ２３０ｂ及びレーザ光ＢＲ２３０ｃ）の光スポット列とがなす角度の調整、及び、時間間隔ＴＬＣ１、ＴＣＲ１及びＴＬＣ２、ＴＣＲ２の計測は、常に実行する必要はない。例えば、光情報記録媒体が情報記録及び／又は再生装置に挿入された後であって、最初に光情報記録媒体の再生又は記録が行われる前に一度だけ調整し、調整値を保持しておけばよいが、必要に応じて複数回調整しても構わない。又、図２２に示す情報記録及び／又は再生装置の、この他の記録及び再生の動作については、第１の実施の形態及び第２の実施の形態で説明した動作と全く同じである。
【０１８４】
このように、本発明の第４の実施の形態における光情報記録媒体によれば、レーザ位置調整用のマーク列であるプレピットを設け、各レーザ光の光スポットの中心とそれぞれが追従すべき位置であるプレピットの中心とが一致するようにレーザ光の位置を調整すると共に、各レーザ光の間隔（光スポットの間隔の溝部に平行な方向の成分）を計測することによって、トラッキング制御が行われているレーザ光のアドレスからトラッキング制御が行われてないレーザ光のアドレスを正確に決定（補正）することが可能となり、安定なトラッキング制御及び信頼性の高いアドレス検出を実現できる。なお、本発明の第４の実施の形態は、本発明の第１乃至第３の実施の形態と同様の効果も有する。
【０１８５】
以上、本発明の好ましい実施の形態について詳説したが、本発明は、上述した実施の形態に制限されることはなく、本発明の範囲を逸脱することなく、上述した実施の形態に種々の変形及び置換を加えることができる。
【０１８６】
例えば、本発明の各実施の形態において、３つのレーザ光を用いて記録及び／又は再生を行う例について説明をしたが、本発明はこれに限定されることなく、２つのレーザ光を用いる場合及び４つ以上のレーザ光を用いる場合にも、同様に適用することができる。
【０１８７】
又、本発明の実施の形態において、フォーカス制御を非点収差法により行う例ついて説明したが、フーコー法等の他の方法を用いても構わない。
【０１８８】
又、本発明の実施の形態において、トラッキング制御をプッシュプル法により行う例について説明したが、ＤＰＤ法等の他の方法を用いても構わない。
【図面の簡単な説明】
【０１８９】
【図１】本発明に係る光情報記録媒体の層構成の例を示す断面図である。
【図２】本発明の第１の実施の形態に係る光情報記録媒体における案内溝の配置の例を示す図である。
【図３】レーザ光Ｂｃ２３０ｂに対してのみトラッキング制御を行った場合のレーザ光ＢＬ２３０ａ及びレーザ光ＢＲ２３０ｃの様子を説明するための図である。
【図４】溝部と溝間部におけるトラッキングオフセット量とジッタとの関係を例示する図である。
【図５】図２において案内溝に記録を行わない場合の例を説明するための図である。
【図６】本発明の第１の実施の形態における案内溝２１０と３つのレーザ光（レーザ光ＢＬ２３０ａ、レーザ光Ｂｃ２３０ｂ、レーザ光ＢＲ２３０ｃ）との関係を模式的に示す図である。
【図７】ＢＤ−Ｒ（追記型Blu-ray Disc）に１トラックのみ記録を行った場合の再生信号を例示する図である。
【図８】ＢＤ−Ｒ（追記型Blu-ray Disc）に連続記録を行った場合の再生信号を例示する図である。
【図９】本発明に係る情報記録及び／又は再生装置の例を示す図である。
【図１０】本発明の第２の実施の形態に係る光情報記録媒体における案内溝の配置例を示す図である。
【図１１】図１０において案内溝に記録を行わない場合の例を説明するための図である。
【図１２】本発明の第２の実施の形態における案内溝２１０と３つのレーザ光（レーザ光ＢＬ２３０ａ、レーザ光Ｂｃ２３０ｂ、レーザ光ＢＲ２３０ｃ）との関係を模式的に示す図である。
【図１３】本発明に係る情報記録及び／又は再生装置の他の例を示す図である。
【図１４】本発明の第３の実施の形態に係る光情報記録媒体における案内溝の配置例を示す図である。
【図１５】図１４において案内溝に記録を行わない場合の例を説明するための図である。
【図１６】本発明の第４の実施の形態に係る光情報記録媒体における、複数のレーザ光の位置調整を行うプレピットの配置例を示す図である。
【図１７】３つのレーザ光（レーザ光ＢＬ２３０ａ、レーザ光Ｂｃ２３０ｂ、レーザ光ＢＲ２３０ｃ）がぞれぞれ所望の位置に配置されて記録及び／又は再生が行われている状態を例示する図である。
【図１８】３つのレーザ光のそれぞれに対し設けられたプレピットと各レーザ光の中心とが一致した状態（理想状態）を例示する図である。
【図１９】３つのレーザ光のそれぞれに対し設けられたプレピットと各レーザ光の中心とが一致しない状態を例示する図である。
【図２０】レーザ光の中心と対応するプレピットの中心とが一致するようにレーザ光の位置調整を行った状態を例示する図である。
【図２１】各レーザ光の走査方向の間隔（ｄ３，ｄ７，ｄ４，ｄ８）を計測する方法を例示する図である。
【図２２】本発明に係る情報記録及び／又は再生装置の他の例を示す図である。
【図２３】従来の複数の光スポットを用いた情報記録及び／又は再生装置により、情報を記録及び／又は再生する様子を模式的に示した図である。
【図２４】個別に形成された３つのスパイラル状の案内溝に３つのレーザ光を個別にトラッキング制御する様子を説明するための図である。
【図２５】レーザ光Ｂｃ３３ｂに対してのみトラッキング制御を行った場合にレーザ光ＢＬ３３ａ及びレーザ光ＢＲ３３ｃが案内溝３１ａ及び３１ｃの中心から大きく変位する様子を説明するための図である。
【図２６】３つのレーザ光が案内溝に照射される様子を模式的に示した図である。
【図２７】従来の複数の光スポットを用いて記録及び／又は再生を行う光情報記録媒体に３つの光スポットが照射される様子を例示する図である。
【符号の説明】
【０１９０】
１０、３０、５０、１００、２００、３００、４００  光情報記録媒体
１１、３１ａ〜３１ｅ、５１、１１０、２１０、３１０、４１０  案内溝
１３  レーザ光
１３ａ、３３ａ、５３ａ、２３０ａ  レーザ光ＢＬ
１３ｂ、３３ｂ、５３ｂ、２３０ｂ  レーザ光Ｂｃ
１３ｃ、３３ｃ、５３ｃ、２３０ｃ  レーザ光ＢＲ
３１ｆ〜３１ｉ、５２、１２０、２２０、３２０、４２０  溝間部
３５、１０６  基板
３６、１０３  記録層
３７、１０５  反射層
５４、２４０  対物レンズ
１０１  カバー層
１０２  第一保護層
１０４  第二保護層
１５０  ジャンプバック直後の再生信号
２０１  光情報記録媒体２００の基板
２０２  光情報記録媒体２００の基板２０１上に形成された記録層
２０３  光情報記録媒体２００の記録層２０２上に形成された反射層
４１０ａ〜４１３ａ、４１０ｂ〜４１３ｂ、４１０ｃ〜４１３ｃ  プレピット
４２０ａ  レーザ光ＢＬ２３０ａから得られる再生信号（反射光量）
４２０ｂ  レーザ光Ｂｃ２３０ｂから得られる再生信号（反射光量）
４２０ｃ  レーザ光ＢＲ２３０ｃから得られる再生信号（反射光量）
５００、６００、７００  光ピックアップ
５０１  レーザダイオードアレイ
５０１ａ〜５０１ｃ  レーザダイオード
５０２  光導波路
５０３  コリメートレンズ
５０４  偏光ビームスプリッタ
５０５  １／４波長板
５０６  対物レンズ
５０７  フォーカス及びトラッキング駆動コイル
５０８  シリンドリカルレンズ
５０９  フォトディテクタアレイ
５０９ａ〜５０９ｃ、６０９ａ〜６０９ｃ  フォトディテクタ
５１０  送り機構
５２０  スピンドルモータ
５３０，６３０  第１の信号処理手段
５３１、６３１  トラッキングエラー生成手段
５３２、６３２  フォーカスエラー生成手段
５３３、５３４  再生信号生成手段
５３５〜５３７  再生信号処理手段
５４０  第２の信号処理手段
５４１  トラッキング制御手段
５４２  フォーカス制御手段
５４３  送り制御手段
５４４  回転制御手段
５４５  データ変調手段
５４６  データ分割手段
５４７  データ復調手段
５４８  データ結合手段
５４９  アドレス処理手段
５５０  コントロール手段
５６０  サーボ駆動回路
５７０  レーザ駆動・制御手段
７０１  ドーブプリズム
７０２  ドーブプリズム駆動コイル
７７０  ドーブプリズム駆動・制御手段
ｄ１、ｄ２、ｄ５、ｄ６  各レーザ光の傾き方向の間隔
ｄ３、ｄ４、ｄ７、ｄ８  各レーザ光の走査方向の間隔
Ｓ１〜Ｓ３、１Ｌ〜４Ｌ、１Ｃ〜４Ｃ、１Ｒ〜４Ｒ  記録マーク列
Ｐ１〜Ｐ６  レーザ光ＢＬ、レーザ光Ｂｃ及びレーザ光ＢＲの照射位置
ＴＬＣ１、ＴＬＣ２  再生信号（反射光量）４２０ａの最低反射光量部分と再生信号（反射光量）４２０ｂの最低反射光量部分との時間間隔
ＴＣＲ１、ＴＣＲ２  再生信号（反射光量）４２０ｃの最低反射光量部分と再生信号（反射光量）４２０ｂの最低反射光量部分との時間間隔
θ１、θ２  案内溝と３つのレーザ光の光スポット列とがなす角度
【図１】
2009104728.tif 000003
【図２】
2009104728.tif 000004
【図３】
2009104728.tif 000005
【図４】
2009104728.tif 000006
【図５】
2009104728.tif 000007
【図６】
2009104728.tif 000008
【図７】
2009104728.tif 000009
【図８】
2009104728.tif 000010
【図９】
2009104728.tif 000011
【図１０】
2009104728.tif 000012
【図１１】
2009104728.tif 000013
【図１２】
2009104728.tif 000014
【図１３】
2009104728.tif 000015
【図１４】
2009104728.tif 000016
【図１５】
2009104728.tif 000017
【図１６】
2009104728.tif 000018
【図１７】
2009104728.tif 000019
【図１８】
2009104728.tif 000020
【図１９】
2009104728.tif 000021
【図２０】
2009104728.tif 000022
【図２１】
2009104728.tif 000023
【図２２】
2009104728.tif 000024
【図２３】
2009104728.tif 000025
【図２４】
2009104728.tif 000026
【図２５】
2009104728.tif 000027
【図２６】
2009104728.tif 000028
【図２７】
2009104728.tif 000029